(57)【要約】      （修正有）【課題】効率的にＰＤＣＣＨを受信する方法を提供する。【解決手段】端末装置は、端末装置がＣ−ＲＮＴＩをともなうＤＣＩフォーマットに応じてＣＳＳにおける第１のＰＤＣＣＨ候補とＵＳＳにおける第２のＰＤＣＣＨ候補をモニタするよう設定されており、第１のＰＤＣＣＨ候補を構成するリソースエレメントのセットが第２のＰＤＣＣＨ候補を構成するリソースエレメントのセットと同じであり、上位層のパラメータが設定されておらず、第１のＰＤＣＣＨ候補に対応するＤＣＩフォーマットのサイズが、第２のＰＤＣＣＨ候補に対応するＤＣＩフォーマットのサイズと同じである場合に、第２のＰＤＣＣＨ候補においてＤＣＩフォーマットをともなうＰＤＣＣＨを受信したときに、第１のＰＤＣＣＨ候補においてＤＣＩフォーマットをともなうＰＤＣＣＨが送信または受信されたとみなす。【選択図】図４
2020031353.tif 000002
【特許請求の範囲】
【請求項１】
少なくとも１つのプロセッサと前記少なくとも１つのプロセッサと連結されるメモリを備え、
前記プロセッサは、
ＤＣＩフォーマットをともなうＰＤＣＣＨを受信し、
前記ＤＣＩフォーマットの‘Frequency domain resource assignment’フィールドにセットされるＲＩＶに対応するＰＤＳＣＨを受信し、
前記ＲＩＶは、前記ＰＤＣＣＨを検出したサーチスペースのタイプに少なくとも基づいて与えられ、
前記プロセッサは、（１）端末装置がＣ−ＲＮＴＩをともなう前記ＤＣＩフォーマットに応じてＣＳＳにおける第１のＰＤＣＣＨ候補とＵＳＳにおける第２のＰＤＣＣＨ候補をモニタするよう設定されており、（２）前記第１のＰＤＣＣＨ候補を構成するリソースエレメントのセットが、前記第２のＰＤＣＣＨ候補を構成するリソースエレメントのセットと同じであり、（３）上位層のパラメータPDCCH-DMRS-Scrambling-IDが設定されておらず、（４）前記第１のＰＤＣＣＨ候補に対応する前記ＤＣＩフォーマットのサイズが、前記第２のＰＤＣＣＨ候補に対応する前記ＤＣＩフォーマットのサイズと同じである場合に、
前記第１のＰＤＣＣＨ候補と前記第２のＰＤＣＣＨ候補のうち、前記第１のＰＤＣＣＨ候補のみにおいて前記ＤＣＩフォーマットをともなう前記ＰＤＣＣＨが送信されるとみなす、または、
前記第１のＰＤＣＣＨ候補と前記第２のＰＤＣＣＨ候補のうち、前記第２のＰＤＣＣＨ候補のみにおいて前記ＤＣＩフォーマットをともなう前記ＰＤＣＣＨが送信されるとみなす、または、
前記第１のＰＤＣＣＨ候補において前記ＤＣＩフォーマットをともなう前記ＰＤＣＣＨを受信したときに、前記第２のＰＤＣＣＨ候補において前記ＤＣＩフォーマットをともなう前記ＰＤＣＣＨが送信または受信されたとみなす、または、
前記第２のＰＤＣＣＨ候補において前記ＤＣＩフォーマットをともなう前記ＰＤＣＣＨを受信したときに、前記第１のＰＤＣＣＨ候補において前記ＤＣＩフォーマットをともなう前記ＰＤＣＣＨが送信または受信されたとみなす
端末装置。
【請求項２】
前記第１のＰＤＣＣＨ候補が対応するＣＯＲＥＳＥＴは、前記第２のＰＤＣＣＨ候補が対応するＣＯＲＥＳＥＴと同じである
請求項１に記載の端末装置。
【請求項３】
前記第１のＰＤＣＣＨ候補に対応する前記ＤＣＩフォーマットのフィールドのセットは、前記第２のＰＤＣＣＨ候補に対応する前記ＤＣＩフォーマットのフィールドのセットと同じである
請求項１に記載の端末装置。
【請求項４】
前記ＤＣＩフォーマットは、ＤＣＩフォーマット０＿０、および／または、ＤＣＩフォーマット１＿０である
請求項１に記載の端末装置。
【請求項５】
前記ＰＤＣＣＨのスクランブリングのための用いられるスクランブリング系列ｃＰＤＣＣＨ（ｉ）は、ｃＰＤＣＣＨ_ｉｎｉｔを用いて初期化され、
前記ｃＰＤＣＣＨ_ｉｎｉｔはｎＲＮＴＩに少なくとも基づいて与えられ、
前記上位層のパラメータPDCCH-DMRS-Scrambling-IDが設定されている場合、前記ＵＳＳにおけるＰＤＣＣＨに対して、前記ｎＲＮＴＩはＣ−ＲＮＴＩであり、それ以外の場合、前記ｎＲＮＴＩは０であり、
前記Ｃ−ＲＮＴＩは０とは異なる値である
請求項１に記載の端末装置。
【請求項６】
少なくとも１つのプロセッサと前記少なくとも１つのプロセッサと連結されるメモリを備え、
前記プロセッサは、
ＤＣＩフォーマットをともなうＰＤＣＣＨを送信し、
前記ＤＣＩフォーマットの‘Frequency domain resource assignment’フィールドにセットされるＲＩＶに対応するＰＤＳＣＨを送信し、
前記ＲＩＶは、前記ＰＤＣＣＨを検出したサーチスペースのタイプに少なくとも基づいて与えられ、
前記プロセッサは、（１）端末装置がＣ−ＲＮＴＩをともなう前記ＤＣＩフォーマットに応じてＣＳＳにおける第１のＰＤＣＣＨ候補とＵＳＳにおける第２のＰＤＣＣＨ候補をモニタするよう設定されており、（２）前記第１のＰＤＣＣＨ候補を構成するリソースエレメントのセットが、前記第２のＰＤＣＣＨ候補を構成するリソースエレメントのセットと同じであり、（３）上位層のパラメータPDCCH-DMRS-Scrambling-IDが設定されておらず、（４）前記第１のＰＤＣＣＨ候補に対応する前記ＤＣＩフォーマットのサイズが、前記第２のＰＤＣＣＨ候補に対応する前記ＤＣＩフォーマットのサイズと同じである場合に、
前記第１のＰＤＣＣＨ候補と前記第２のＰＤＣＣＨ候補のうち、前記第１のＰＤＣＣＨ候補のみにおいて前記ＤＣＩフォーマットをともなう前記ＰＤＣＣＨを送信する、または、
前記第１のＰＤＣＣＨ候補と前記第２のＰＤＣＣＨ候補のうち、前記第２のＰＤＣＣＨ候補のみにおいて前記ＤＣＩフォーマットをともなう前記ＰＤＣＣＨを送信する、または、
前記第１のＰＤＣＣＨ候補において前記ＤＣＩフォーマットをともなう前記ＰＤＣＣＨを送信するときに、前記第２のＰＤＣＣＨ候補において前記ＤＣＩフォーマットをともなう前記ＰＤＣＣＨを送信するとみなす、または、
前記第２のＰＤＣＣＨ候補において前記ＤＣＩフォーマットをともなう前記ＰＤＣＣＨを送信するときに、前記第１のＰＤＣＣＨ候補において前記ＤＣＩフォーマットをともなう前記ＰＤＣＣＨを送信するとみなす
基地局装置。
【請求項７】
前記第１のＰＤＣＣＨ候補が対応するＣＯＲＥＳＥＴは、前記第２のＰＤＣＣＨ候補が対応するＣＯＲＥＳＥＴと同じである
請求項６に記載の基地局装置。
【請求項８】
前記第１のＰＤＣＣＨ候補に対応する前記ＤＣＩフォーマットのフィールドのセットは、前記第２のＰＤＣＣＨ候補に対応する前記ＤＣＩフォーマットのフィールドのセットと同じである
請求項６に記載の基地局装置。
【請求項９】
前記ＤＣＩフォーマットは、ＤＣＩフォーマット０＿０、および／または、ＤＣＩフォーマット１＿０である
請求項６に記載の基地局装置。
【請求項１０】
前記ＰＤＣＣＨのスクランブリングのための用いられるスクランブリング系列ｃＰＤＣＣＨ（ｉ）は、ｃＰＤＣＣＨ_ｉｎｉｔを用いて初期化され、
前記ｃＰＤＣＣＨ_ｉｎｉｔはｎＲＮＴＩに少なくとも基づいて与えられ、
前記上位層のパラメータPDCCH-DMRS-Scrambling-IDが設定されている場合、前記ＵＳＳにおけるＰＤＣＣＨに対して、前記ｎＲＮＴＩはＣ−ＲＮＴＩであり、それ以外の場合、
前記ｎＲＮＴＩは０であり、
前記Ｃ−ＲＮＴＩは０とは異なる値である
請求項６に記載の基地局装置。
【請求項１１】
端末装置に用いられる通信方法であって、
ＤＣＩフォーマットをともなうＰＤＣＣＨを受信し、
前記ＤＣＩフォーマットの‘Frequency domain resource assignment’フィールドにセットされるＲＩＶに対応するＰＤＳＣＨを受信し、
前記ＲＩＶは、前記ＰＤＣＣＨを検出したサーチスペースのタイプに少なくとも基づいて与えられ、
（１）端末装置がＣ−ＲＮＴＩをともなう前記ＤＣＩフォーマットに応じてＣＳＳにおける第１のＰＤＣＣＨ候補とＵＳＳにおける第２のＰＤＣＣＨ候補をモニタするよう設定されており、（２）前記第１のＰＤＣＣＨ候補を構成するリソースエレメントのセットが、前記第２のＰＤＣＣＨ候補を構成するリソースエレメントのセットと同じであり、（３）上位層のパラメータPDCCH-DMRS-Scrambling-IDが設定されておらず、（４）前記第１のＰＤＣＣＨ候補に対応する前記ＤＣＩフォーマットのサイズが、前記第２のＰＤＣＣＨ候補に対応する前記ＤＣＩフォーマットのサイズと同じである場合に、
前記第１のＰＤＣＣＨ候補と前記第２のＰＤＣＣＨ候補のうち、前記第１のＰＤＣＣＨ候補のみにおいて前記ＤＣＩフォーマットをともなう前記ＰＤＣＣＨが送信されるとみなす、または、
前記第１のＰＤＣＣＨ候補と前記第２のＰＤＣＣＨ候補のうち、前記第２のＰＤＣＣＨ候補のみにおいて前記ＤＣＩフォーマットをともなう前記ＰＤＣＣＨが送信されるとみなす、または、
前記第１のＰＤＣＣＨ候補において前記ＤＣＩフォーマットをともなう前記ＰＤＣＣＨを受信したときに、前記第２のＰＤＣＣＨ候補において前記ＤＣＩフォーマットをともなう前記ＰＤＣＣＨが送信または受信されたとみなす、または、
前記第２のＰＤＣＣＨ候補において前記ＤＣＩフォーマットをともなう前記ＰＤＣＣＨを受信したときに、前記第１のＰＤＣＣＨ候補において前記ＤＣＩフォーマットをともなう前記ＰＤＣＣＨが送信または受信されたとみなす
通信方法。
【請求項１２】
基地局装置に用いられる通信方法であって、
ＤＣＩフォーマットをともなうＰＤＣＣＨを送信し、
前記ＤＣＩフォーマットの‘Frequency domain resource assignment’フィールドにセットされるＲＩＶに対応するＰＤＳＣＨを送信し、
前記ＲＩＶは、前記ＰＤＣＣＨを検出したサーチスペースのタイプに少なくとも基づいて与えられ、
（１）端末装置がＣ−ＲＮＴＩをともなう前記ＤＣＩフォーマットに応じてＣＳＳにおける第１のＰＤＣＣＨ候補とＵＳＳにおける第２のＰＤＣＣＨ候補をモニタするよう設定されており、（２）前記第１のＰＤＣＣＨ候補を構成するリソースエレメントのセットが、前記第２のＰＤＣＣＨ候補を構成するリソースエレメントのセットと同じであり、（３）上位層のパラメータPDCCH-DMRS-Scrambling-IDが設定されておらず、（４）前記第１のＰＤＣＣＨ候補に対応する前記ＤＣＩフォーマットのサイズが、前記第２のＰＤＣＣＨ候補に対応する前記ＤＣＩフォーマットのサイズと同じである場合に、
前記第１のＰＤＣＣＨ候補と前記第２のＰＤＣＣＨ候補のうち、前記第１のＰＤＣＣＨ候補のみにおいて前記ＤＣＩフォーマットをともなう前記ＰＤＣＣＨを送信する、または、
前記第１のＰＤＣＣＨ候補と前記第２のＰＤＣＣＨ候補のうち、前記第２のＰＤＣＣＨ候補のみにおいて前記ＤＣＩフォーマットをともなう前記ＰＤＣＣＨを送信する、または、
前記第１のＰＤＣＣＨ候補において前記ＤＣＩフォーマットをともなう前記ＰＤＣＣＨを送信するときに、前記第２のＰＤＣＣＨ候補において前記ＤＣＩフォーマットをともなう前記ＰＤＣＣＨを送信するとみなす、または、
前記第２のＰＤＣＣＨ候補において前記ＤＣＩフォーマットをともなう前記ＰＤＣＣＨを送信するときに、前記第１のＰＤＣＣＨ候補において前記ＤＣＩフォーマットをともなう前記ＰＤＣＣＨを送信するとみなす
通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE：登録商標）」、または、「Evolved Universal Terrestrial Radio Access : EUTRA」と称する。）が、第三世代パートナーシッププロジェクト（3rd Generation Partnership Project: 3GPP）において検討されている（非特許文献１、２、３、４、５
）。また、３ＧＰＰにおいて、新たな無線アクセス方式（以下、「New Radio（NR）」と
称する。）が検討されている。ＬＴＥでは、基地局装置をｅＮｏｄｅＢ（evolved NodeB
）とも称する。ＮＲでは、基地局装置をｇＮｏｄｅＢとも称する。ＬＴＥ、および、ＮＲでは、端末装置をＵＥ（User Equipment）とも称する。ＬＴＥ、および、ＮＲは、基地局装置がカバーするエリアをセル状に複数配置するセルラー通信システムである。単一の基地局装置は複数のセルを管理してもよい。
【０００３】
ＮＲの下りリンクにおいてＰＤＣＣＨ、ＰＵＳＣＨおよび、ＰＤＳＣＨが用いられる（非特許文献１、２、３、４）。ＰＤＣＣＨはＤＣＩ（Downlink Control Information）を伝送する。ＤＣＩフォーマット０＿０は、ＰＵＳＣＨのスケジューリングのために用いられる。ＤＣＩフォーマット１＿０は、ＰＤＳＣＨのスケジューリングのために用いられる。
【先行技術文献】
【非特許文献】
【０００４】
【非特許文献１】"3GPP TS 38.211 V15.2.0 (2018-06), NR; Physical channels and modulation", 29th June, 2017.
【非特許文献２】"3GPP TS 38.212 V15.2.0 (2018-06), NR; Multiplexing and channel coding", 29th June, 2017.
【非特許文献３】"3GPP TS 38.213 V15.2.0 (2018-06), NR; Physical layer procedures for control", 29th June, 2017.
【非特許文献４】"3GPP TS 38.214 V15.2.0 (2018-06), NR; Physical layer procedures for data", 29th June, 2017.
【発明の概要】
【発明が解決しようとする課題】
【０００５】
本発明は、端末装置、該端末装置に用いられる通信方法、基地局装置、および、該基地局装置に用いられる通信方法を提供する。本発明の端末装置、該端末装置に用いられる通信方法、基地局装置、および、該基地局装置に用いられる通信方法は、情報のサイズを決定する方法、および／または、効率的に情報を解釈するための方法を備える。
【課題を解決するための手段】
【０００６】
（１）本発明の態様は、以下のような手段を講じた。すなわち、本発明の第１の態様は、端末装置であって、少なくとも１つのプロセッサと前記少なくとも１つのプロセッサと連結されるメモリを備え、前記プロセッサは、ＤＣＩフォーマットをともなうＰＤＣＣＨを受信し、前記ＤＣＩフォーマットの‘Frequency domain resource assignment’フィールドにセットされるＲＩＶに対応するＰＤＳＣＨを受信し、前記ＲＩＶは、前記ＰＤＣＣＨを検出したサーチスペースのタイプに少なくとも基づいて与えられ、前記プロセッサは、（１）端末装置がＣ−ＲＮＴＩをともなう前記ＤＣＩフォーマットに応じてＣＳＳにお
ける第１のＰＤＣＣＨ候補とＵＳＳにおける第２のＰＤＣＣＨ候補をモニタするよう設定されており、（２）前記第１のＰＤＣＣＨ候補を構成するリソースエレメントのセットが、前記第２のＰＤＣＣＨ候補を構成するリソースエレメントのセットと同じであり、（３）上位層のパラメータPDCCH-DMRS-Scrambling-IDが設定されておらず、（４）前記第１のＰＤＣＣＨ候補に対応する前記ＤＣＩフォーマットのサイズが、前記第２のＰＤＣＣＨ候補に対応する前記ＤＣＩフォーマットのサイズと同じである場合に、前記第１のＰＤＣＣＨ候補と前記第２のＰＤＣＣＨ候補のうち、前記第１のＰＤＣＣＨ候補のみにおいて前記ＤＣＩフォーマットをともなう前記ＰＤＣＣＨが送信されるとみなす、または、前記第１のＰＤＣＣＨ候補と前記第２のＰＤＣＣＨ候補のうち、前記第２のＰＤＣＣＨ候補のみにおいて前記ＤＣＩフォーマットをともなう前記ＰＤＣＣＨが送信されるとみなす、または、前記第１のＰＤＣＣＨ候補において前記ＤＣＩフォーマットをともなう前記ＰＤＣＣＨを受信したときに、前記第２のＰＤＣＣＨ候補において前記ＤＣＩフォーマットをともなう前記ＰＤＣＣＨが送信または受信されたとみなす、または、前記第２のＰＤＣＣＨ候補において前記ＤＣＩフォーマットをともなう前記ＰＤＣＣＨを受信したときに、前記第１のＰＤＣＣＨ候補において前記ＤＣＩフォーマットをともなう前記ＰＤＣＣＨが送信または受信されたとみなす。
【０００７】
（２）本発明の第２の態様は、基地局装置であって、少なくとも１つのプロセッサと前記少なくとも１つのプロセッサと連結されるメモリを備え、前記プロセッサは、ＤＣＩフォーマットをともなうＰＤＣＣＨを送信し、前記ＤＣＩフォーマットの‘Frequency domain resource assignment’フィールドにセットされるＲＩＶに対応するＰＤＳＣＨを送信し、前記ＲＩＶは、前記ＰＤＣＣＨを検出したサーチスペースのタイプに少なくとも基づいて与えられ、前記プロセッサは、（１）端末装置がＣ−ＲＮＴＩをともなう前記ＤＣＩフォーマットに応じてＣＳＳにおける第１のＰＤＣＣＨ候補とＵＳＳにおける第２のＰＤＣＣＨ候補をモニタするよう設定されており、（２）前記第１のＰＤＣＣＨ候補を構成するリソースエレメントのセットが、前記第２のＰＤＣＣＨ候補を構成するリソースエレメントのセットと同じであり、（３）上位層のパラメータPDCCH-DMRS-Scrambling-IDが設定されておらず、（４）前記第１のＰＤＣＣＨ候補に対応する前記ＤＣＩフォーマットのサイズが、前記第２のＰＤＣＣＨ候補に対応する前記ＤＣＩフォーマットのサイズと同じである場合に、前記第１のＰＤＣＣＨ候補と前記第２のＰＤＣＣＨ候補のうち、前記第１のＰＤＣＣＨ候補のみにおいて前記ＤＣＩフォーマットをともなう前記ＰＤＣＣＨを送信する、または、前記第１のＰＤＣＣＨ候補と前記第２のＰＤＣＣＨ候補のうち、前記第２のＰＤＣＣＨ候補のみにおいて前記ＤＣＩフォーマットをともなう前記ＰＤＣＣＨを送信する、または、前記第１のＰＤＣＣＨ候補において前記ＤＣＩフォーマットをともなう前記ＰＤＣＣＨを送信するときに、前記第２のＰＤＣＣＨ候補において前記ＤＣＩフォーマットをともなう前記ＰＤＣＣＨを送信するとみなす、または、前記第２のＰＤＣＣＨ候補において前記ＤＣＩフォーマットをともなう前記ＰＤＣＣＨを送信するときに、前記第１のＰＤＣＣＨ候補において前記ＤＣＩフォーマットをともなう前記ＰＤＣＣＨを送信するとみなす。
【０００８】
（３）本発明の第３の態様は、端末装置の通信方法であって、ＤＣＩフォーマットをともなうＰＤＣＣＨを受信し、前記ＤＣＩフォーマットの‘Frequency domain resource assignment’フィールドにセットされるＲＩＶに対応するＰＤＳＣＨを受信し、前記ＲＩＶは、前記ＰＤＣＣＨを検出したサーチスペースのタイプに少なくとも基づいて与えられ、（１）端末装置がＣ−ＲＮＴＩをともなう前記ＤＣＩフォーマットに応じてＣＳＳにおける第１のＰＤＣＣＨ候補とＵＳＳにおける第２のＰＤＣＣＨ候補をモニタするよう設定されており、（２）前記第１のＰＤＣＣＨ候補を構成するリソースエレメントのセットが、前記第２のＰＤＣＣＨ候補を構成するリソースエレメントのセットと同じであり、（３）上位層のパラメータPDCCH-DMRS-Scrambling-IDが設定されておらず、（４）前記第１のＰＤＣＣＨ候補に対応する前記ＤＣＩフォーマットのサイズが、前記第２のＰＤＣＣＨ候補
に対応する前記ＤＣＩフォーマットのサイズと同じである場合に、前記第１のＰＤＣＣＨ候補と前記第２のＰＤＣＣＨ候補のうち、前記第１のＰＤＣＣＨ候補のみにおいて前記ＤＣＩフォーマットをともなう前記ＰＤＣＣＨが送信されるとみなす、または、前記第１のＰＤＣＣＨ候補と前記第２のＰＤＣＣＨ候補のうち、前記第２のＰＤＣＣＨ候補のみにおいて前記ＤＣＩフォーマットをともなう前記ＰＤＣＣＨが送信されるとみなす、または、前記第１のＰＤＣＣＨ候補において前記ＤＣＩフォーマットをともなう前記ＰＤＣＣＨを受信したときに、前記第２のＰＤＣＣＨ候補において前記ＤＣＩフォーマットをともなう前記ＰＤＣＣＨが送信または受信されたとみなす、または、前記第２のＰＤＣＣＨ候補において前記ＤＣＩフォーマットをともなう前記ＰＤＣＣＨを受信したときに、前記第１のＰＤＣＣＨ候補において前記ＤＣＩフォーマットをともなう前記ＰＤＣＣＨが送信または受信されたとみなす。
【０００９】
（４）本発明の第４の態様は、基地局装置の通信方法であって、ＤＣＩフォーマットをともなうＰＤＣＣＨを送信し、前記ＤＣＩフォーマットの‘Frequency domain resource assignment’フィールドにセットされるＲＩＶに対応するＰＤＳＣＨを送信し、前記ＲＩＶは、前記ＰＤＣＣＨを検出したサーチスペースのタイプに少なくとも基づいて与えられ、（１）端末装置がＣ−ＲＮＴＩをともなう前記ＤＣＩフォーマットに応じてＣＳＳにおける第１のＰＤＣＣＨ候補とＵＳＳにおける第２のＰＤＣＣＨ候補をモニタするよう設定されており、（２）前記第１のＰＤＣＣＨ候補を構成するリソースエレメントのセットが、前記第２のＰＤＣＣＨ候補を構成するリソースエレメントのセットと同じであり、（３）上位層のパラメータPDCCH-DMRS-Scrambling-IDが設定されておらず、（４）前記第１のＰＤＣＣＨ候補に対応する前記ＤＣＩフォーマットのサイズが、前記第２のＰＤＣＣＨ候補に対応する前記ＤＣＩフォーマットのサイズと同じである場合に、前記第１のＰＤＣＣＨ候補と前記第２のＰＤＣＣＨ候補のうち、前記第１のＰＤＣＣＨ候補のみにおいて前記ＤＣＩフォーマットをともなう前記ＰＤＣＣＨを送信する、または、前記第１のＰＤＣＣＨ候補と前記第２のＰＤＣＣＨ候補のうち、前記第２のＰＤＣＣＨ候補のみにおいて前記ＤＣＩフォーマットをともなう前記ＰＤＣＣＨを送信する、または、前記第１のＰＤＣＣＨ候補において前記ＤＣＩフォーマットをともなう前記ＰＤＣＣＨを送信するときに、前記第２のＰＤＣＣＨ候補において前記ＤＣＩフォーマットをともなう前記ＰＤＣＣＨを送信するとみなす、または、前記第２のＰＤＣＣＨ候補において前記ＤＣＩフォーマットをともなう前記ＰＤＣＣＨを送信するときに、前記第１のＰＤＣＣＨ候補において前記ＤＣＩフォーマットをともなう前記ＰＤＣＣＨを送信するとみなす。
【発明の効果】
【００１０】
この発明によれば、端末装置と基地局装置は効率的に通信を行うことができる。
【図面の簡単な説明】
【００１１】
【図１】本実施形態の無線通信システムの概念図である。
【図２】本実施形態の無線フレームの概略構成を示す図である。
【図３】本実施形態における下りリンクスロットの概略構成を示す図である。
【図４】本実施形態の端末装置１の構成を示す概略ブロック図である。
【図５】本実施形態の基地局装置３の構成を示す概略ブロック図である。
【図６】本実施形態におけるＣＯＲＥＳＥＴの一例を示す図である。
【図７】本実施形態におけるサーチスペースの一例を示す図である。
【図８】本実施形態における‘Frequency domain resource assignment’フィールドとＮＤＬ，ＢＷＰとＮＵＬ，ＢＷＰの対応を示す図である。
【図９】本実施形態におけるＤＣＩフォーマット０＿０とＤＣＩフォーマット１＿０の一例を示す図である。
【図１０】本実施形態におけるＲＩＶ０＿０を計算するための疑似コードを示す図である。
【図１１】本実施形態におけるＲＩＶ０＿０を計算するための疑似コードを示す図である。
【図１２】本実施形態におけるＲＩＶ１＿０を計算するための疑似コードを示す図である。
【図１３】本実施形態におけるＲＩＶ１＿０を計算するための疑似コードを示す図である。
【発明を実施するための形態】
【００１２】
以下、本発明の実施形態について説明する。
【００１３】
図１は、本実施形態の無線通信システムの概念図である。図１において、無線通信システムは、端末装置１、および、基地局装置３を具備する。
【００１４】
以下、キャリアアグリゲーションについて説明する。
【００１５】
本実施形態では、端末装置１は、１つまたは複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。複数のサービングセルは、少なくとも１つのプライマリセルを含む。複数のサービングセルは、１つ、または、複数のセカンダリセルを含んでもよい。以下、特に記載がないかぎり、本実施形態は１つのサービングセルに適用される。
【００１６】
プライマリセルは、初期コネクション確立（initial connection establishment）手順が行なわれたサービングセル、コネクション再確立（connection re-establishment）手
順を開始したサービングセル、または、ハンドオーバ手順においてプライマリセルと指示されたセルである。ＲＲＣ（Radio Resource Control）コネクションが確立された時点、または、後に、セカンダリセルが設定されてもよい。
【００１７】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００１８】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００１９】
本実施形態の物理チャネルおよび物理信号について説明する。
【００２０】
端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
ＰＵＣＣＨは、下りリンクのＣＳＩ（Channel State Information）、および／または
、ＨＡＲＱ−ＡＣＫ（Hybrid Automatic Repeat reQuest）を送信するために用いられる
。ＣＳＩ、および、ＨＡＲＱ−ＡＣＫは、上りリンク制御情報（Uplink Control Information: UCI）である。
【００２１】
ＰＵＳＣＨは、上りリンクデータ（Transport block, Uplink-Shared Channel: UL-SCH）、下りリンクのＣＳＩ、および／または、ＨＡＲＱ−ＡＣＫを送信するために用いられる。ＣＳＩ、および、ＨＡＲＱ−ＡＣＫは、上りリンク制御情報（Uplink Control Information: UCI）である。端末装置１は、上りリンクグラント（uplink grant）を含むＰＤ
ＣＣＨ（Physical Downlink Control Channel）の検出に基づいてＰＵＳＣＨを送信して
もよい。
【００２２】
ＰＲＡＣＨは、ランダムアクセスプリアンブルを送信するために用いられる。
【００２３】
上りリンクの無線通信では、以下の上りリンク物理シグナルが用いられる。上りリンク物理シグナルは、上位層から出力された情報を送信するために使用されないが、物理層によって使用される。
・ＤＭＲＳ（Demodulation Reference Signal）
ＤＭＲＳは、ＰＵＣＣＨまたはＰＵＳＣＨの送信に関連する。ＤＭＲＳは、ＰＵＳＣＨと時間多重されてもよい。基地局装置３は、ＰＵＳＣＨの伝搬路補正を行なうためにＤＭＲＳを使用してもよい。
【００２４】
基地局装置３から端末装置１への下りリンクの無線通信では、以下の下りリンク物理チャネルが用いられる。下りリンク物理チャネルは、上位層から出力された情報を送信するために使用される。
・ＰＤＣＣＨ（Physical Downlink Control Channel）
・ＰＤＳＣＨ（Physical Downlink Control Channel）
ＰＤＣＣＨは、下りリンク制御情報（Downlink Control Information: DCI）を送信す
るために用いられる。下りリンク制御情報を、ＤＣＩフォーマットとも称する。
【００２５】
ＰＤＳＣＨは、下りリンクデータ（Transport block, Downlink-Shared Channel: DL-SCH）を送信するために用いられる。
【００２６】
ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。
【００２７】
以下、本実施形態の無線フレーム（radio frame）の構成について説明する。
【００２８】
図２は、本実施形態の無線フレームの概略構成を示す図である。図２において、横軸は時間軸である。無線フレームのそれぞれは、１０ｍｓ長であってもよい。また、無線フレームのそれぞれは１０のスロットから構成されてもよい。スロットのそれぞれは、１ｍｓ長であってもよい。
【００２９】
以下、本実施形態のスロットの構成の一例について説明する。図３は、本実施形態におけるスロットの概略構成を示す図である。図３において、１つのセルにおけるスロットの構成を示す。図３において、横軸は時間軸であり、縦軸は周波数軸である。スロットはＮｓｙｍｂ個のＯＦＤＭシンボルを含んでもよい。
【００３０】
図３において、ｌはＯＦＤＭシンボル番号／インデックスであり、ｋはサブキャリア番号／インデックスである。スロットのそれぞれにおいて送信される物理シグナルまたは物
理チャネルは、リソースグリッドによって表現される。リソースグリッドは複数のサブキャリアと複数のＯＦＤＭシンボルによって定義される。リソースグリッド内のエレメントのそれぞれをリソースエレメントと称する。リソースエレメントは、サブキャリア番号／インデックスｋ、および、ＯＦＤＭシンボル番号／インデックスｌによって表される。
【００３１】
スロットは、時間領域において、複数ＯＦＤＭシンボルｌ（ｌ＝０，１，．．．，Ｎｓｙｍｂ）を含む。ノーマルＣＰ（normal Cyclic Prefix）に対して、Ｎｓｙｍｂは１４であってもよい。拡張ＣＰ（extended CP）に対して、Ｎｓｙｍｂは１２であってもよい。
【００３２】
スロットは、周波数領域において、複数のサブキャリアｋ（ｋ＝０，１，．．．，ＮＲＢ・ＮＲＢＳＣ)を含む。ＮＲＢは、ＮＲＢＳＣの倍数によって表現される、サービング
セルに対する帯域幅設定である。ＮＲＢＳＣは、サブキャリアの数によって表現される、周波数領域における（物理）リソースブロックサイズである。サブキャリア間隔Δfは１
５ｋＨｚであってもよい。ＮＲＢＳＣは１２であってもよい。周波数領域における（物理）リソースブロックサイズは１８０ｋＨｚであってもよい。
【００３３】
１つの物理リソースブロックは、時間領域においてNsymbの連続するＯＦＤＭシンボル
と周波数領域においてＮＲＢＳＣの連続するサブキャリアとから定義される。ゆえに、１つの物理リソースブロックは（Ｎｓｙｍｂ・ＮＲＢＳＣ）のリソースエレメントから構成される。１つの物理リソースブロックは、時間領域において１つのスロットに対応してもよい。物理リソースブロックは周波数領域において、周波数の低いほうから順に番号ｎＰＲＢ（0,1,…, NRB -1）が付けられてもよい。
【００３４】
以下、本実施形態における装置の構成について説明する。
【００３５】
図４は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベース
バンド部１３を含んで構成される。上位層処理部１４は、媒体アクセス制御層処理部１５、および、無線リソース制御層処理部１６を含んで構成される。無線送受信部１０を送信部、受信部、符号化部、復号部、または、物理層処理部とも称する。
【００３６】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【００３７】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、ランダムアクセス手順の制御を行う。
【００３８】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【００３９】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【００４０】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【００４１】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【００４２】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【００４３】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【００４４】
図５は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、符号化部、復号部、または、物理層処理部とも称する。
【００４５】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００４６】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、ランダムアクセス手順の制御を行う。
【００４７】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し
、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。
すなわち、無線リソース制御層処理部３６は、各種設定情報／パラメータを示す情報を送信／報知する。
【００４８】
無線送受信部３０の機能は、無線送受信部１０と同様であるため説明を省略する。
【００４９】
端末装置１が備える符号１０から符号１６が付された部のそれぞれは、回路として構成されてもよい。基地局装置３が備える符号３０から符号３６が付された部のそれぞれは、回路として構成されてもよい。端末装置１が備える符号１０から符号１６が付された部のそれぞれは、少なくとも１つのプロセッサと前記少なくとも１つのプロセッサと連結されるメモリとして構成されてもよい。基地局装置３が備える符号３０から符号３６が付された部のそれぞれは、少なくとも１つのプロセッサと前記少なくとも１つのプロセッサと連結されるメモリとして構成されてもよい。
【００５０】
以下、ＢＷＰ（band width part）について説明をする。
【００５１】
ＢＷＰは、周波数領域において連続する１つまたは複数の物理リソースブロックによって定義される。
【００５２】
１つのサービングセルに対して、１つまたは複数の下りリンクＢＷＰ、および、１つまたは複数の上りリンクＢＷＰが設定されてもよい。
【００５３】
１つまたは複数の下りリンクＢＷＰは、少なくとも１つの初期下りリンクＢＷＰを含む。１つまたは複数の上りリンクＢＷＰは、少なくとも１つの初期上りリンクＢＷＰを含む。初期下りリンクＢＷＰのインデックスと初期上りリンクＢＷＰのインデックスは０である。端末装置１は、初期下りリンクＢＷＰを示す上位層のパラメータを受信してもよい。
【００５４】
１つのサービングセルにおいて、１つまたは複数の下りリンクＢＷＰのうち同時に１つまでの下りリンクＢＷＰがアクティベートされる。１つのサービングセルにおいて、１つまたは複数の上りリンクＢＷＰのうち同時に１つまでの上りリンクＢＷＰがアクティベートされる。端末装置１は、ＲＲＣパラメータ、および／または、ＰＤＣＣＨに基づいて、アクティベートされている下りリンクＢＷＰおよび／または、アクティベートされている上りリンクＢＷＰをスイッチしてもよい。上りリンクおよび下りリンクにおいて、アクティベートされているＢＷＰをスイッチすることは、デアクティベートされているＢＷＰのアクティベートと、アクティベートされているＢＷＰのデアクティベートを同時に行うことである。
【００５５】
端末装置１は、アクティベートされている下りリンクＢＷＰにおいて、ＰＤＣＣＨのモニタ、および、ＰＤＳＣＨ（ＤＬ−ＳＣＨ）の受信を行ってもよい。端末装置１は、デアクティベートされている下りリンクＢＷＰにおいて、ＰＤＣＣＨのモニタ、および、ＰＤＳＣＨ（ＤＬ−ＳＣＨ）の受信を行わない。モニタは、ＤＣＩフォーマットに応じてＰＤＣＣＨの復号を試みることであってもよい。
【００５６】
端末装置１は、アクティベートされている上りリンクＢＷＰにおいて、ＰＵＳＣＨ（ＵＬ−ＳＣＨ）の送信、ＰＵＣＣＨの送信、および、ＳＲＳの送信を行ってもよい。端末装置１は、デアクティベートされている上りリンクＢＷＰにおいて、ＰＵＳＣＨ（ＵＬ−ＳＣＨ）の送信、ＰＵＣＣＨの送信、および、ＳＲＳの送信を行わない。
【００５７】
アクティベートされている下りリンクＢＷＰをアクティブ下りリンクＢＷＰとも呼称する。アクティベートされている上りリンクＢＷＰをアクティブ上りリンクＢＷＰとも呼称する。
【００５８】
以下、ＣＯＲＥＳＥＴ（control resource set）について説明をする。本実施形態におけるＣＯＲＥＳＥＴは、アクティベートされている下りリンクＢＷＰに含まれる。
【００５９】
図６は、本実施形態におけるＣＯＲＥＳＥＴの一例を示す図である。本実施形態においてＣＯＲＥＳＥＴは、１つのＢＷＰに含まれる。時間領域において、１つのＰＤＣＣＨモニタリングオケージョンにおけるＣＯＲＥＳＥＴの期間は１、２、または、３個のＯＦＤＭシンボルである。ＰＤＣＣＨモニタリングオケージョンは、ＣＯＲＥＳＥＴのモニタが設定されるＯＦＤＭシンボルのセットである。ＣＯＲＥＳＥＴは複数のＣＣＥ（Control Channel Element）から構成されてもよい。ＣＯＲＥＳＥＴは、周波数領域において連続
する複数のリソースエレメントから構成されてもよい。１つのＣＣＥは周波数領域において連続する６つのＲＥＧ（Resource Element Group）から構成されてもよい。１つのＲＥＧは周波数領域において連続する１２のリソースエレメントから構成されてもよい。
【００６０】
図７は、本実施形態におけるサーチスペースの一例を示す図である。サーチスペースは、ＰＤＣＣＨ候補のセットである。ＰＤＣＣＨはＰＤＣＣＨ候補において送信される。端末装置１は、サーチスペースにおいてＰＤＣＣＨのデコードを試みる。ＰＤＣＣＨ候補は、１つまたは複数のＣＣＥから構成されてもよい。ＰＤＣＣＨ候補を構成するＣＣＥの数をアグリゲーションレベルとも称する。
【００６１】
サーチスペース７００はＣＳＳ（Common Search Space）である。サーチスペース７１
０はＵＳＳ（UE-specific Search Space）である。ＣＳＳ７００とＵＳＳ７１０は、１つのＣＯＲＥＳＥＴに含まれる。ＵＳＳ７１０に含まれるＰＤＣＣＨ候補は、少なくとも所定のＲＮＴＩに基づいて与えられてもよい。ここで、所定のＲＮＴＩはＣ−ＲＮＴＩ（Cell Radio Network Temporary Identifier）であってもよい。ＣＳＳ７００に含まれるＰ
ＤＣＣＨ候補は、該所定のＲＮＴＩとは関係なく与えられてもよい。
【００６２】
ＣＳＳ７００はアグリゲーションレベルが８である２つのＰＤＣＣＨ候補７０１、７０２を含む。ＵＳＳ７１０はアグリゲーションレベルが１６である１つのＰＤＣＣＨ候補７１１と、アグリゲーションレベルが８である３つのＰＤＣＣＨ候補７１２、７１３、７１４を含む。
【００６３】
ＰＤＣＣＨ候補７０１を構成するＣＣＥのセットは、ＰＤＣＣＨ候補７１２を構成するＣＣＥのセットと同じである。ＰＤＣＣＨ候補７０２を構成するＣＣＥのセットは、ＰＤＣＣＨ候補７１１を構成するＣＣＥのセットとは異なるが、ＰＤＣＣＨ候補７０２を構成する最も小さいインデックスのＣＣＥは、ＰＤＣＣＨ候補７１１を構成する最も小さいインデックスのＣＣＥと同じである。
【００６４】
以下、本実施形態のＤＣＩフォーマットについて説明をする。本実施形態においてＤＣＩフォーマットのサイズを、ＤＣＩサイズ、または、ＤＣＩフォーマットのペイロードサイズとも称する。
【００６５】
本実施形態のＤＣＩフォーマット０＿０について説明をする。
【００６６】
ＤＣＩフォーマット０＿０は、単一のセル内のＰＵＳＣＨのスケジューリングに用いられてもよい。本実施形態のＤＣＩフォーマット０＿０は、Ｃ−ＲＮＴＩによってスクランブルされたＣＲＣをともなうＤＣＩフォーマット０＿０である。ＤＣＩフォーマット０＿０は、少なくとも以下のフィールドを含む。
・‘Identifier for DCI formats’フィールド  −  １ビット
・‘Frequency domain resource assignment’フィールド  −  ＮＦＤＲＡ０＿０ビット
・‘Time domain resource assignment’フィールド  −  ４ビット
・‘Frequency hopping flag’フィールド  −  １ビット
・‘Modulation and coding scheme’フィールド  −  ５ビット
・‘New data indicator’フィールド  −  １ビット
・‘Redundancy version’フィールド  −  ２ビット
・‘HARQ process number’フィールド  −  ４ビット
・‘TPC command for scheduled PUSCH’フィールド  −  ２ビット
・‘UL/SUL indicator’フィールド  −  ０または１ビット
ＤＣＩフォーマット０＿０の‘Frequency domain resource assignment’フィールドのサイズＮＦＤＲＡ０＿０は、以下の数式（１）によって与えられてもよい。‘UL/SUL indicator’フィールドのサイズは、上位層のパラメータに少なくとも基づいて与えられてもよい。以下、本実施形態において、‘UL/SUL indicator’フィールドのサイズは０ビットである。‘Frequency domain resource assignment’フィールドと‘UL/SUL indicator’フィールド以外のＤＣＩフォーマット０＿０のフィールドのサイズは、仕様書によって予め定義されている。
【００６７】
【数１】
2020031353.tif 000003
【００６８】
NUL,BWPは、リソースブロックの数によって表現される。NUL,BWPは、初期上りリンクＢＷＰのサイズ、または、アクティブ上りリンクＢＷＰのサイズである。
【００６９】
条件Ａと条件Ｂを満たし、且つ、ＤＣＩフォーマット０＿０がＵＳＳにおいてモニタされる場合、NUL,BWPはアクティブ上りリンクＢＷＰのサイズであってもよい。それ以外の
場合、NUL,BWPは初期上りリンクＢＷＰのサイズであってもよい。
【００７０】
条件Ａまたは条件Ｂを満たさない場合、または、ＤＣＩフォーマット０＿０がＣＳＳにおいてモニタされる場合、NUL,BWPは初期上りリンクＢＷＰのサイズであってもよい。そ
れ以外の場合、NUL,BWPはアクティブ上りリンクＢＷＰのサイズであってもよい。
【００７１】
条件Ａは、セルに対して、スロット毎にモニタされる異なるＤＣＩサイズの総数がＸＡより大きくないこと（the total number of different DCI sizes monitored per slot is no more than 4 for the cell）であってもよい。ここで、ＸＡの値は、４、または、
４より大きい値であってもよい。
【００７２】
条件Ｂは、セルに対して、スロット毎にモニタされるＣ−ＲＮＴＩをともなう異なるＤＣＩサイズの総数がＸＢより大きくないこと（the total number of different DCI size
s with C-RNTI monitored per slot is no more than 3 for the cell）であってもよい
。ここで、ＸＢの値は、３、または、３より大きい値であってもよい。ＸＢの値は、ＸＡの値と同じ、または、小さい値であってもよい。
【００７３】
本実施形態のＤＣＩフォーマット１＿０について説明をする。
【００７４】
ＤＣＩフォーマット１＿０の‘Frequency domain resource assignment’フィールドが全て１にセットされていない場合、ＤＣＩフォーマット１＿０は、単一のセル内のＰＤＳＣＨのスケジューリングに用いられてもよい。本実施形態のＤＣＩフォーマット１＿０の‘Frequency domain resource assignment’フィールドは全て１にセットされていない。すなわち、本実施形態のＤＣＩフォーマット１＿０は、単一のセル内のＰＤＳＣＨのスケジューリングに用いられてもよい。
本実施形態のＤＣＩフォーマット１＿０は、Ｃ−ＲＮＴＩによってスクランブルされたＣＲＣをともなうＤＣＩフォーマット０＿０である。
【００７５】
ＤＣＩフォーマット１＿０は、以下のフィールドを含む。
・‘Identifier for DCI formats’フィールド  −  １ビット
・‘Frequency domain resource assignment’フィールド  −  ＮＦＤＲＡ１＿０ビット・‘Time domain resource assignment’フィールド  −  ４ビット
・‘VRB-to-PRB mapping’フィールド  −  １ビット
・‘Modulation and coding scheme’フィールド  −  ５ビット
・‘New data indicator’フィールド  −  １ビット
・‘Redundancy version’フィールド  −  ２ビット
・‘HARQ process number’フィールド  −  ４ビット
・‘Downlink assignment index’フィールド  −  ２ビット
・‘TPC command for scheduled PUCCH’フィールド  −  ２ビット
・‘PUCCH resource indicator’フィールド  −  ３ビット
・‘PDSCH-to-HARQ_feedback timing indicator’フィールド  −  ３ビット
ＤＣＩフォーマット１＿０の‘Frequency domain resource assignment’フィールドのサイズＮＦＤＲＡ１＿０は、以下の数式（２）によって与えられてもよい。‘Frequency domain resource assignment’フィールド以外のＤＣＩフォーマット１＿０のフィールドのサイズは、仕様書によって予め定義されている。
【００７６】
【数２】
2020031353.tif 000004
【００７７】
NＤL,BWPは、リソースブロックの数によって表現される。NＤL,BWPは、アクティブ下り
リンクＢＷＰのサイズ、または、所定の帯域Ｘのサイズである。ここで、該所定の帯域Ｘは、初期下りリンクＢＷＰ、または、所定のＣＯＲＥＳＥＴであってもよい。ここで、該所定のＣＯＲＥＳＥＴは、ＤＣＩフォーマット１＿０がモニタされるＣＯＲＥＳＥＴ、所定のインデックスのＣＯＲＥＳＥＴであってもよい。該所定のインデックスは、予め決められた値（例えば０）であってもよい。該所定のインデックスは、ＲＲＣパラメータによって与えられてもよい。初期下りリンクＢＷＰは、所定のＣＯＲＥＳＥＴの帯域とは異なってもよい。
【００７８】
条件Ａと条件Ｂを満たし、且つ、ＤＣＩフォーマット１＿０がＵＳＳにおいてモニタされる場合、NＤL,BWPはアクティブ下りリンクＢＷＰのサイズであってもよい。それ以外の場合、NUL,BWPは所定の帯域Ｘのサイズであってもよい。
【００７９】
条件Ａまたは条件Ｂを満たさない場合、または、ＤＣＩフォーマット０＿０がＣＳＳにおいてモニタされる場合、NＤL,BWPは所定の帯域Ｘのサイズであってもよい。それ以外の場合、NＤL,BWPはアクティブ下りリンクＢＷＰのサイズであってもよい。
【００８０】
ＣＳＳにおいてモニタされるサービングセルをスケジューリングするためのＤＣＩフォーマット０＿０（DCI format 0_0 monitored in CSS for scheduling a serving cell）
のサイズは、ＵＳＳにおいてモニタされる該同じサービングセルをスケジューリングするためのＤＣＩフォーマット１＿０（DCI format 1_0 monitored in CSS for scheduling the serving cell）のサイズと同じである。
【００８１】
サービングセルをスケジューリングするためのＤＣＩフォーマット０＿０がＣＳＳにおいてモニタされ、且つ、パディングまたはトランケート前の該ＤＣＩフォーマット０＿０（the DCI format 0_0 prior to padding or truncating）における情報ビットの数がＣ
ＳＳにおいてモニタされる該同じサービングセルをスケジューリングするためのＤＣＩフォーマット１＿０のサイズより小さい場合、ＤＣＩフォーマット０＿０のサイズがＤＣＩフォーマット１＿０のサイズと同じになるまで１つまたは複数のビットがＤＣＩフォーマット０＿０に付加される。ここで、該１つまたは複数のビットは０にセットされている。
【００８２】
サービングセルをスケジューリングするためのＤＣＩフォーマット０＿０がＣＳＳにおいてモニタされ、且つ、パディングまたはトランケート前の該ＤＣＩフォーマット０＿０（the DCI format 0_0 prior to padding or truncating）における情報ビットの数がＣ
ＳＳにおいてモニタされる該同じサービングセルをスケジューリングするためのＤＣＩフォーマット１＿０のサイズより大きい場合、ＤＣＩフォーマット０＿０のサイズがＤＣＩフォーマット１＿０のサイズと同じになるように、‘Frequency domain resource assignment’フィールドの最初の１つまたは複数のＭＳＢ（Most Significant Bits）をトラン
ケート（truncate）することによって、ＤＣＩフォーマット０＿０の‘Frequency domain
resource assignment’フィールドのビット幅を減らす。
【００８３】
ＵＳＳにおいてモニタされるサービングセルをスケジューリングするためのＤＣＩフォーマット０＿０（DCI format 0_0 monitored in USS for scheduling a serving cell）
のサイズは、ＵＳＳにおいてモニタされる該同じサービングセルをスケジューリングするためのＤＣＩフォーマット１＿０（DCI format 1_0 monitored in USS for scheduling the serving cell）のサイズと同じである。
【００８４】
サービングセルをスケジューリングするためのＤＣＩフォーマット０＿０がＵＳＳにおいてモニタされ、且つ、条件Ａと条件Ｂのうちの少なくとも１つが満たされず、且つ、パディングまたはトランケート前の該ＤＣＩフォーマット０＿０（the DCI format 0_0 prior to padding or truncating）における情報ビットの数がＵＳＳにおいてモニタされる
該同じサービングセルをスケジューリングするためのＤＣＩフォーマット１＿０のサイズより小さい場合、ＤＣＩフォーマット０＿０のサイズがＤＣＩフォーマット１＿０のサイズと同じになるまで１つまたは複数のビットがＤＣＩフォーマット０＿０に付加される。ここで、該１つまたは複数のビットは０にセットされている。
【００８５】
サービングセルをスケジューリングするためのＤＣＩフォーマット０＿０がＵＳＳにおいてモニタされ、且つ、条件Ａと条件Ｂのうちの少なくとも１つが満たされず、且つ、パディングまたはトランケート前の該ＤＣＩフォーマット０＿０（the DCI format 0_0 prior to padding or truncating）における情報ビットの数がＵＳＳにおいてモニタされる
該同じサービングセルをスケジューリングするためのＤＣＩフォーマット１＿０のサイズより大きい場合、ＤＣＩフォーマット０＿０のサイズがＤＣＩフォーマット１＿０のサイズと同じになるように、‘Frequency domain resource assignment’フィールドの最初の１つまたは複数のＭＳＢ（Most Significant Bits）をトランケート（truncate）するこ
とによって、ＤＣＩフォーマット０＿０の‘Frequency domain resource assignment’フィールドのビット幅を減らす。
【００８６】
サービングセルをスケジューリングするためのＤＣＩフォーマット０＿０がＵＳＳにおいてモニタされ、且つ、条件Ａと条件Ｂの両方が満たされ、且つ、パディングまたはトランケート前の該ＤＣＩフォーマット０＿０（the DCI format 0_0 prior to padding or truncating）における情報ビットの数がＵＳＳにおいてモニタされる該同じサービングセ
ルをスケジューリングするためのＤＣＩフォーマット１＿０のサイズより小さい場合、ＤＣＩフォーマット０＿０のサイズがＤＣＩフォーマット１＿０のサイズと同じになるまで１つまたは複数のビットがＤＣＩフォーマット０＿０に付加される。ここで、該１つまたは複数のビットは０にセットされている。
【００８７】
サービングセルをスケジューリングするためのＤＣＩフォーマット０＿０がＵＳＳにおいてモニタされ、且つ、条件Ａと条件Ｂの両方が満たされ、且つ、パディングまたはトランケート前の該ＤＣＩフォーマット０＿０（the DCI format 0_0 prior to padding or truncating）における情報ビットの数がＵＳＳにおいてモニタされる該同じサービングセ
ルをスケジューリングするためのＤＣＩフォーマット１＿０のサイズより大きい場合、該ＤＣＩフォーマット０＿０のサイズは、パディングまたはトランケート前の該ＤＣＩフォーマット０＿０（the DCI format 0_0 prior to padding or truncating）における情報
ビットの数と同じである。
【００８８】
サービングセルをスケジューリングするためのＤＣＩフォーマット１＿０がＵＳＳにおいてモニタされ、且つ、条件Ａと条件Ｂの両方が満たされ、且つ、パディング前の該ＤＣＩフォーマット１＿０（the DCI format 1_0 prior to padding）における情報ビットの
数がＵＳＳにおいてモニタされる該同じサービングセルをスケジューリングするためのＤＣＩフォーマット０＿０のサイズより小さい場合、ＤＣＩフォーマット１＿０のサイズがＤＣＩフォーマット０＿０のサイズと同じになるまで１つまたは複数のビットがＤＣＩフォーマット１＿０に付加される。ここで、該１つまたは複数のビットは０にセットされている。
【００８９】
端末装置１は、‘Identifier for DCI formats’フィールドによってＤＣＩフォーマット０＿０とＤＣＩフォーマット１＿０を識別することができる。ＤＣＩフォーマット０＿０の‘Identifier for DCI formats’フィールドは０にセットされる。ＤＣＩフォーマット１＿０の‘Identifier for DCI formats’フィールドは１にセットされる。
【００９０】
本実施形態のＤＣＩフォーマット０＿１について説明をする。
【００９１】
ＤＣＩフォーマット０＿１は、単一のセル内のＰＵＳＣＨのスケジューリングに用いられてもよい。特に記載がない限り、本実施形態のＤＣＩフォーマット０＿１は、Ｃ−ＲＮＴＩによってスクランブルされたＣＲＣをともなうＤＣＩフォーマット０＿１である。ＤＣＩフォーマット０＿１に含まれるフィールドのセットは、ＤＣＩフォーマット０＿０に含まれるフィールドのセットとは異なる。
【００９２】
本実施形態のＤＣＩフォーマット１＿１について説明をする。
【００９３】
ＤＣＩフォーマット１＿１は、単一のセル内のＰＤＳＣＨのスケジューリングに用いられてもよい。特に記載がない限り、本実施形態のＤＣＩフォーマット１＿１は、Ｃ−ＲＮＴＩによってスクランブルされたＣＲＣをともなうＤＣＩフォーマット１＿１である。ＤＣＩフォーマット１＿１に含まれるフィールドのセットは、ＤＣＩフォーマット１＿０に含まれるフィールドのセットとは異なる。
【００９４】
ＤＣＩフォーマット０＿１とＤＣＩフォーマット１＿１は、ＣＳＳとＵＳＳのうち、ＵＳＳのみにおいてモニタされる。ＤＣＩフォーマット０＿１とＤＣＩフォーマット１＿１は、ＣＳＳにおいてモニタされない。
【００９５】
サービングセルをスケジューリングするためのＤＣＩフォーマット０＿１のサイズは、ＣＳＳにおいてモニタされる該同じサービングセルをスケジューリングするためのＤＣＩフォーマット０＿０のサイズ、ＣＳＳにおいてモニタされる該同じサービングセルをスケジューリングするためのＤＣＩフォーマット１＿０のサイズ、ＵＳＳにおいてモニタされる該同じサービングセルをスケジューリングするためのＤＣＩフォーマット０＿０のサイズ、および、ＵＳＳにおいてモニタされる該同じサービングセルをスケジューリングするためのＤＣＩフォーマット１＿０のサイズの何れとも異なる。
【００９６】
パディング前のサービングセルをスケジューリングするためのＤＣＩフォーマット０＿１の情報ビットの数がＣＳＳにおいてモニタされる該同じサービングセルをスケジューリングするためのＤＣＩフォーマット０＿０のサイズ、ＣＳＳにおいてモニタされる該同じサービングセルをスケジューリングするためのＤＣＩフォーマット１＿０のサイズ、ＵＳＳにおいてモニタされる該同じサービングセルをスケジューリングするためのＤＣＩフォーマット０＿０のサイズ、および、ＵＳＳにおいてモニタされる該同じサービングセルをスケジューリングするためのＤＣＩフォーマット１＿０のサイズの何れかと同じである場合、該ＤＣＩフォーマット０＿１のサイズがＣＳＳにおいてモニタされる該同じサービングセルをスケジューリングするためのＤＣＩフォーマット０＿０のサイズ、ＣＳＳにおいてモニタされる該同じサービングセルをスケジューリングするためのＤＣＩフォーマット１＿０のサイズ、ＵＳＳにおいてモニタされる該同じサービングセルをスケジューリングするためのＤＣＩフォーマット０＿０のサイズ、および、ＵＳＳにおいてモニタされる該同じサービングセルをスケジューリングするためのＤＣＩフォーマット１＿０のサイズの何れとも異なるようになるまで、１つまたは複数のビットがＤＣＩフォーマット０＿１に付加されてもよい。ここで、該１つまたは複数のビットは０にセットされている。
【００９７】
パディング前のサービングセルをスケジューリングするためのＤＣＩフォーマット０＿１の情報ビットの数がＣＳＳにおいてモニタされる該同じサービングセルをスケジューリングするためのＤＣＩフォーマット０＿０のサイズ、および、ＵＳＳにおいてモニタされる該同じサービングセルをスケジューリングするためのＤＣＩフォーマット０＿０のサイズの何れかと同じである場合、該ＤＣＩフォーマット０＿１のサイズがＣＳＳにおいてモニタされる該同じサービングセルをスケジューリングするためのＤＣＩフォーマット０＿０のサイズ、および、ＵＳＳにおいてモニタされる該同じサービングセルをスケジューリングするためのＤＣＩフォーマット０＿０のサイズの何れとも異なるようになるまで、１
つまたは複数のビットがＤＣＩフォーマット０＿１に付加されてもよい。ここで、該１つまたは複数のビットは０にセットされている。
【００９８】
パディング前のサービングセルをスケジューリングするためのＤＣＩフォーマット０＿１の情報ビットの数がＣＳＳにおいてモニタされる該同じサービングセルをスケジューリングするためのＤＣＩフォーマット１＿０のサイズ、および、ＵＳＳにおいてモニタされる該同じサービングセルをスケジューリングするためのＤＣＩフォーマット１＿０のサイズの何れかと同じである場合、該ＤＣＩフォーマット０＿１のサイズがＣＳＳにおいてモニタされる該同じサービングセルをスケジューリングするためのＤＣＩフォーマット１＿０のサイズ、および、ＵＳＳにおいてモニタされる該同じサービングセルをスケジューリングするためのＤＣＩフォーマット１＿０のサイズの何れとも異なるようになるまで、１つまたは複数のビットがＤＣＩフォーマット０＿１に付加されてもよい。ここで、該１つまたは複数のビットは０にセットされている。
【００９９】
パディング前のサービングセルをスケジューリングするためのＤＣＩフォーマット０＿１の情報ビットの数が初期上りリンクＢＷＰのサイズから導きだされる該同じサービングセルをスケジューリングするためのＤＣＩフォーマット０＿０のサイズ、所定の帯域Ｘから導き出される該同じサービングセルをスケジューリングするためのＤＣＩフォーマット１＿０のサイズ、アクティブ上りリンクＢＷＰのサイズから導き出される該同じサービングセルをスケジューリングするためのＤＣＩフォーマット０＿０のサイズ、および、アクティブ下りリンクＢＷＰのサイズから導きだされる該同じサービングセルをスケジューリングするためのＤＣＩフォーマット１＿０のサイズの何れかと同じである場合、該ＤＣＩフォーマット０＿１のサイズが初期上りリンクＢＷＰのサイズから導きだされる該同じサービングセルをスケジューリングするためのＤＣＩフォーマット０＿０のサイズ、所定の帯域Ｘから導き出される該同じサービングセルをスケジューリングするためのＤＣＩフォーマット１＿０のサイズ、アクティブ上りリンクＢＷＰのサイズから導き出される該同じサービングセルをスケジューリングするためのＤＣＩフォーマット０＿０のサイズ、および、アクティブ下りリンクＢＷＰのサイズから導きだされる該同じサービングセルをスケジューリングするためのＤＣＩフォーマット１＿０のサイズの何れとも異なるようになるまで、１つまたは複数のビットがＤＣＩフォーマット０＿１に付加されてもよい。ここで、該１つまたは複数のビットは０にセットされている。
【０１００】
パディング前のサービングセルをスケジューリングするためのＤＣＩフォーマット０＿１の情報ビットの数が初期上りリンクＢＷＰのサイズから導きだされる該同じサービングセルをスケジューリングするためのＤＣＩフォーマット０＿０のサイズ、および、アクティブ上りリンクＢＷＰのサイズから導き出される該同じサービングセルをスケジューリングするためのＤＣＩフォーマット０＿０のサイズの何れかと同じである場合、該ＤＣＩフォーマット０＿１のサイズが初期上りリンクＢＷＰのサイズから導きだされる該同じサービングセルをスケジューリングするためのＤＣＩフォーマット０＿０のサイズ、および、アクティブ上りリンクＢＷＰのサイズから導き出される該同じサービングセルをスケジューリングするためのＤＣＩフォーマット０＿０のサイズの何れとも異なるようになるまで、１つまたは複数のビットがＤＣＩフォーマット０＿１に付加されてもよい。ここで、該１つまたは複数のビットは０にセットされている。
【０１０１】
パディング前のサービングセルをスケジューリングするためのＤＣＩフォーマット０＿１の情報ビットの数が所定の帯域Ｘから導き出される該同じサービングセルをスケジューリングするためのＤＣＩフォーマット１＿０のサイズ、および、アクティブ下りリンクＢＷＰのサイズから導きだされる該同じサービングセルをスケジューリングするためのＤＣＩフォーマット１＿０のサイズの何れかと同じである場合、該ＤＣＩフォーマット０＿１のサイズが所定の帯域Ｘから導き出される該同じサービングセルをスケジューリングする
ためのＤＣＩフォーマット１＿０のサイズ、および、アクティブ下りリンクＢＷＰのサイズから導きだされる該同じサービングセルをスケジューリングするためのＤＣＩフォーマット１＿０のサイズの何れとも異なるようになるまで、１つまたは複数のビットがＤＣＩフォーマット０＿１に付加されてもよい。ここで、該１つまたは複数のビットは０にセットされている。
【０１０２】
パディング前のサービングセルをスケジューリングするためのＤＣＩフォーマット０＿１の情報ビットの数が、初期下りリンクＢＷＰから導き出される該同じサービングセルをスケジューリングするためのＤＣＩフォーマット１＿０のサイズ、上記の所定のＣＯＲＥＳＥＴから導き出される該同じサービングセルをスケジューリングするためのＤＣＩフォーマット１＿０のサイズ、および、アクティブ下りリンクＢＷＰのサイズから導きだされる該同じサービングセルをスケジューリングするためのＤＣＩフォーマット１＿０のサイズの何れかと同じである場合、該ＤＣＩフォーマット１＿１のサイズが初期下りリンクＢＷＰから導き出される該同じサービングセルをスケジューリングするためのＤＣＩフォーマット１＿０のサイズ、上記の所定のＣＯＲＥＳＥＴから導き出される該同じサービングセルをスケジューリングするためのＤＣＩフォーマット１＿０のサイズ、および、アクティブ下りリンクＢＷＰのサイズから導きだされる該同じサービングセルをスケジューリングするためのＤＣＩフォーマット１＿０のサイズの何れとも異なるようになるまで、１つまたは複数のビットがＤＣＩフォーマット０＿１に付加されてもよい。ここで、該１つまたは複数のビットは０にセットされている。
【０１０３】
サービングセルをスケジューリングするためのＤＣＩフォーマット１＿１のサイズは、ＣＳＳにおいてモニタされる該同じサービングセルをスケジューリングするためのＤＣＩフォーマット０＿０のサイズ、ＣＳＳにおいてモニタされる該同じサービングセルをスケジューリングするためのＤＣＩフォーマット１＿０のサイズ、ＵＳＳにおいてモニタされる該同じサービングセルをスケジューリングするためのＤＣＩフォーマット０＿０のサイズ、および、ＵＳＳにおいてモニタされる該同じサービングセルをスケジューリングするためのＤＣＩフォーマット１＿０のサイズの何れとも異なる。
【０１０４】
パディング前のサービングセルをスケジューリングするためのＤＣＩフォーマット１＿１の情報ビットの数がＣＳＳにおいてモニタされる該同じサービングセルをスケジューリングするためのＤＣＩフォーマット０＿０のサイズ、ＣＳＳにおいてモニタされる該同じサービングセルをスケジューリングするためのＤＣＩフォーマット１＿０のサイズ、ＵＳＳにおいてモニタされる該同じサービングセルをスケジューリングするためのＤＣＩフォーマット０＿０のサイズ、および、ＵＳＳにおいてモニタされる該同じサービングセルをスケジューリングするためのＤＣＩフォーマット１＿０のサイズの何れかと同じである場合、該ＤＣＩフォーマット１＿１のサイズがＣＳＳにおいてモニタされる該同じサービングセルをスケジューリングするためのＤＣＩフォーマット０＿０のサイズ、ＣＳＳにおいてモニタされる該同じサービングセルをスケジューリングするためのＤＣＩフォーマット１＿０のサイズ、ＵＳＳにおいてモニタされる該同じサービングセルをスケジューリングするためのＤＣＩフォーマット０＿０のサイズ、および、ＵＳＳにおいてモニタされる該同じサービングセルをスケジューリングするためのＤＣＩフォーマット１＿０のサイズの何れとも異なるようになるまで、１つまたは複数のビットがＤＣＩフォーマット１＿１に付加されてもよい。ここで、該１つまたは複数のビットは０にセットされている。
【０１０５】
パディング前のサービングセルをスケジューリングするためのＤＣＩフォーマット１＿１の情報ビットの数が、ＣＳＳにおいてモニタされる該同じサービングセルをスケジューリングするためのＤＣＩフォーマット０＿０のサイズ、および、ＵＳＳにおいてモニタされる該同じサービングセルをスケジューリングするためのＤＣＩフォーマット０＿０のサイズの何れかと同じである場合、該ＤＣＩフォーマット１＿１のサイズがＣＳＳにおいて
モニタされる該同じサービングセルをスケジューリングするためのＤＣＩフォーマット０＿０のサイズ、および、ＵＳＳにおいてモニタされる該同じサービングセルをスケジューリングするためのＤＣＩフォーマット０＿０のサイズの何れとも異なるようになるまで、１つまたは複数のビットがＤＣＩフォーマット１＿１に付加されてもよい。ここで、該１つまたは複数のビットは０にセットされている。
【０１０６】
パディング前のサービングセルをスケジューリングするためのＤＣＩフォーマット１＿１の情報ビットの数が、ＣＳＳにおいてモニタされる該同じサービングセルをスケジューリングするためのＤＣＩフォーマット１＿０のサイズ、および、ＵＳＳにおいてモニタされる該同じサービングセルをスケジューリングするためのＤＣＩフォーマット１＿０のサイズの何れかと同じである場合、該ＤＣＩフォーマット１＿１のサイズがＣＳＳにおいてモニタされる該同じサービングセルをスケジューリングするためのＤＣＩフォーマット１＿０のサイズ、および、ＵＳＳにおいてモニタされる該同じサービングセルをスケジューリングするためのＤＣＩフォーマット１＿０のサイズの何れとも異なるようになるまで、１つまたは複数のビットがＤＣＩフォーマット１＿１に付加されてもよい。ここで、該１つまたは複数のビットは０にセットされている。
【０１０７】
パディング前のサービングセルをスケジューリングするためのＤＣＩフォーマット１＿１の情報ビットの数が、初期上りリンクＢＷＰのサイズから導きだされる該同じサービングセルをスケジューリングするためのＤＣＩフォーマット０＿０のサイズ、所定の帯域Ｘから導き出される該同じサービングセルをスケジューリングするためのＤＣＩフォーマット１＿０のサイズ、アクティブ上りリンクＢＷＰのサイズから導き出される該同じサービングセルをスケジューリングするためのＤＣＩフォーマット０＿０のサイズ、および、アクティブ下りリンクＢＷＰのサイズから導きだされる該同じサービングセルをスケジューリングするためのＤＣＩフォーマット１＿０のサイズの何れかと同じである場合、該ＤＣＩフォーマット１＿１のサイズが初期上りリンクＢＷＰのサイズから導きだされる該同じサービングセルをスケジューリングするためのＤＣＩフォーマット０＿０のサイズ、所定の帯域Ｘから導き出される該同じサービングセルをスケジューリングするためのＤＣＩフォーマット１＿０のサイズ、アクティブ上りリンクＢＷＰのサイズから導き出される該同じサービングセルをスケジューリングするためのＤＣＩフォーマット０＿０のサイズ、および、アクティブ下りリンクＢＷＰのサイズから導きだされる該同じサービングセルをスケジューリングするためのＤＣＩフォーマット１＿０のサイズの何れとも異なるようになるまで、１つまたは複数のビットがＤＣＩフォーマット１＿１に付加されてもよい。ここで、該１つまたは複数のビットは０にセットされている。
【０１０８】
パディング前のサービングセルをスケジューリングするためのＤＣＩフォーマット１＿１の情報ビットの数が、初期上りリンクＢＷＰのサイズから導きだされる該同じサービングセルをスケジューリングするためのＤＣＩフォーマット０＿０のサイズ、および、アクティブ上りリンクＢＷＰのサイズから導き出される該同じサービングセルをスケジューリングするためのＤＣＩフォーマット０＿０のサイズの何れかと同じである場合、該ＤＣＩフォーマット１＿１のサイズが初期上りリンクＢＷＰのサイズから導きだされる該同じサービングセルをスケジューリングするためのＤＣＩフォーマット０＿０のサイズ、および、アクティブ上りリンクＢＷＰのサイズから導き出される該同じサービングセルをスケジューリングするためのＤＣＩフォーマット０＿０のサイズの何れとも異なるようになるまで、１つまたは複数のビットがＤＣＩフォーマット１＿１に付加されてもよい。ここで、該１つまたは複数のビットは０にセットされている。
【０１０９】
パディング前のサービングセルをスケジューリングするためのＤＣＩフォーマット１＿１の情報ビットの数が、所定の帯域Ｘから導き出される該同じサービングセルをスケジューリングするためのＤＣＩフォーマット１＿０のサイズ、および、アクティブ下りリンク
ＢＷＰのサイズから導きだされる該同じサービングセルをスケジューリングするためのＤＣＩフォーマット１＿０のサイズの何れかと同じである場合、該ＤＣＩフォーマット１＿１のサイズが所定の帯域Ｘから導き出される該同じサービングセルをスケジューリングするためのＤＣＩフォーマット１＿０のサイズ、および、アクティブ下りリンクＢＷＰのサイズから導きだされる該同じサービングセルをスケジューリングするためのＤＣＩフォーマット１＿０のサイズの何れとも異なるようになるまで、１つまたは複数のビットがＤＣＩフォーマット１＿１に付加されてもよい。ここで、該１つまたは複数のビットは０にセットされている。
【０１１０】
パディング前のサービングセルをスケジューリングするためのＤＣＩフォーマット１＿１の情報ビットの数が、初期下りリンクＢＷＰから導き出される該同じサービングセルをスケジューリングするためのＤＣＩフォーマット１＿０のサイズ、上記の所定のＣＯＲＥＳＥＴから導き出される該同じサービングセルをスケジューリングするためのＤＣＩフォーマット１＿０のサイズ、および、アクティブ下りリンクＢＷＰのサイズから導きだされる該同じサービングセルをスケジューリングするためのＤＣＩフォーマット１＿０のサイズの何れかと同じである場合、該ＤＣＩフォーマット１＿１のサイズが初期下りリンクＢＷＰから導き出される該同じサービングセルをスケジューリングするためのＤＣＩフォーマット１＿０のサイズ、上記の所定のＣＯＲＥＳＥＴから導き出される該同じサービングセルをスケジューリングするためのＤＣＩフォーマット１＿０のサイズ、および、アクティブ下りリンクＢＷＰのサイズから導きだされる該同じサービングセルをスケジューリングするためのＤＣＩフォーマット１＿０のサイズの何れとも異なるようになるまで、１つまたは複数のビットがＤＣＩフォーマット１＿１に付加されてもよい。ここで、該１つまたは複数のビットは０にセットされている。
【０１１１】
サービングセルをスケジューリングするためのＤＣＩフォーマット０＿１のサイズは、該同じサービングセルをスケジューリングするためのＤＣＩフォーマット１＿１のサイズと同じでもよいし、異なってもよい。
【０１１２】
サービングセルをスケジューリングするためのＤＣＩフォーマット０＿１のサイズが該同じサービングセルをスケジューリングするためのＤＣＩフォーマット１＿１のサイズと同じ場合、端末装置１は、‘Identifier for DCI formats’フィールドによってＤＣＩフォーマット０＿１とＤＣＩフォーマット１＿１を識別することができる。ＤＣＩフォーマット０＿１の‘Identifier for DCI formats’フィールドは０にセットされる。ＤＣＩフォーマット１＿０の‘Identifier for DCI formats’フィールドは１にセットされる。
【０１１３】
図８は、本実施形態における‘Frequency domain resource assignment’フィールドとＮＤＬ，ＢＷＰとＮＵＬ，ＢＷＰの対応を示す図である。例えば、所定のサイズＸが６である場合、所定のサイズＸから導きだされる‘Frequency domain resource assignment’フィールドのビット数は５である。
【０１１４】
図９は、本実施形態におけるＤＣＩフォーマット０＿０とＤＣＩフォーマット１＿０の一例を示す図である。９００は、所定の帯域Ｘのサイズから導きだされるＤＣＩフォーマット１＿０である。９０１は、アクティブ下りリンクＢＷＰのサイズから導きだされるＤＣＩフォーマット１＿０である。９０２は、初期上りリンクＢＷＰのサイズから導きだされるＤＣＩフォーマット０＿０である。９０３は、アクティブ上りリンクＢＷＰのサイズから導きだされるＤＣＩフォーマット０＿０である。
【０１１５】
９００の‘Frequency domain resource assignment’フィールドのサイズと９０１の‘Frequency domain resource assignment’フィールドのサイズと９０３の‘Frequency domain resource assignment’フィールドのサイズは、１３ビットである。９０２の‘Freq
uency domain resource assignment’フィールドのサイズは、１１ビットである。
【０１１６】
９００のＤＣＩフォーマットは、９０１のＤＣＩフォーマットと同じであり、且つ、９００のＤＣＩフォーマットのフィールドのセットは９０１のＤＣＩフォーマットのフィールドのセットと同じである。９０２のＤＣＩフォーマットは、９０３のＤＣＩフォーマットと同じであり、且つ、９０２のＤＣＩフォーマットのフィールドのセットは９０３のＤＣＩフォーマットのフィールドのセットと異なる。フィールドの第１のセットがフィールドの第２のセットと同じであることは、フィールドの第１のセットに含まれるｎ番目のフィールドのタイプとサイズがフィールドの第２のセットに含まれるｎ番目のフィールドのタイプとサイズと同じであることを意味する（ｎ＝１、２、３、．．．）。
【０１１７】
初期上りリンクＢＷＰのサイズとアクティブ上りリンクＢＷＰのサイズが異なったとしても、初期上りリンクＢＷＰのサイズから導きだされる‘Frequency domain resource assignment’フィールドのビット数が、アクティブ上りリンクＢＷＰのサイズから導きだされる‘Frequency domain resource assignment’フィールドのビット数と同じになる可能性がある。すなわち、初期上りリンクＢＷＰのサイズとアクティブ上りリンクＢＷＰのサイズが異なったとしても場合、初期上りリンクＢＷＰのサイズから導きだされるＤＣＩフォーマット０＿０のフィールドのセットが、アクティブ上りリンクＢＷＰのサイズから導きだされるＤＣＩフォーマット０＿０のフィールドのセットと同じになる可能性がある。
【０１１８】
例えば、初期上りリンクＢＷＰのサイズが９６であり、アクティブ上りリンクＢＷＰのサイズが１２７である場合、初期上りリンクＢＷＰのサイズから導きだされる‘Frequency domain resource assignment’フィールドのビット数が、アクティブ上りリンクＢＷＰのサイズから導きだされる‘Frequency domain resource assignment’フィールドのビット数と同じになる。
【０１１９】
所定の帯域Ｘのサイズとアクティブ下りリンクＢＷＰのサイズが異なったとしても、所定の帯域Ｘのサイズから導きだされる‘Frequency domain resource assignment’フィールドのビット数が、アクティブ下りリンクＢＷＰのサイズから導きだされる‘Frequency domain resource assignment’フィールドのビット数と同じになる可能性がある。すなわち、所定の帯域Ｘのサイズとアクティブ下りリンクＢＷＰのサイズが異なったとしても場合、所定の帯域Ｘのサイズから導きだされるＤＣＩフォーマット１＿０のフィールドのセットが、アクティブ下りリンクＢＷＰのサイズから導きだされるＤＣＩフォーマット１＿０のフィールドのセットと同じになる可能性がある。
【０１２０】
例えば、所定の帯域Ｘのサイズが９６であり、アクティブ下りリンクＢＷＰのサイズが１２７である場合、所定の帯域Ｘのサイズから導きだされる‘Frequency domain resource assignment’フィールドのビット数が、アクティブ下りリンクＢＷＰのサイズから導きだされる‘Frequency domain resource assignment’フィールドのビット数と同じになる。
【０１２１】
ＤＣＩフォーマット２＿０は、スロットフォーマットを通知するために用いられる。ＤＣＩフォーマット２＿０のサイズは、上位層のパラメータによって設定される。本実施形態のＤＣＩフォーマット２＿０は、ＳＦＩ−ＲＮＴＩによってスクランブルされたＣＲＣをともなうＤＣＩフォーマット２＿０である。
【０１２２】
ＤＣＩフォーマット２＿０のサイズは、他のＤＣＩフォーマットのサイズと同じでもよいし、異なってもよい。ＤＣＩフォーマット２＿０のサイズが他のＤＣＩフォーマットのサイズと同じである場合、端末装置１はＳＦＩ−ＲＮＴＩによってＤＣＩフォーマット２＿０を識別することができる。
【０１２３】
ＤＣＩフォーマット２＿１は、端末装置１が該端末装置１のための送信がないと想定してもよい物理リソースブロックとＯＦＤＭシンボル（the physical resource block(s) and OFDM symbol(s) where terminal device 1 may assume no transmission is intended
for the UE）を通知するために用いられる。ＤＣＩフォーマット２＿１のサイズは、上
位層のパラメータによって設定される。本実施形態のＤＣＩフォーマット２＿１は、ＩＮＴ−ＲＮＴＩによってスクランブルされたＣＲＣをともなうＤＣＩフォーマット２＿１である。
【０１２４】
ＤＣＩフォーマット２＿１のサイズは、他のＤＣＩフォーマットのサイズと同じでもよいし、異なってもよい。ＤＣＩフォーマット２＿１のサイズが他のＤＣＩフォーマットのサイズと同じである場合、端末装置１はＩＮＴ−ＲＮＴＩによってＤＣＩフォーマット２＿１を識別することができる。
【０１２５】
ＤＣＩフォーマット０＿０の‘Frequency domain resource assignment’フィールドは、ＲＩＶ（Resource Indication Value）を含む。ＤＣＩフォーマット０＿０の‘Frequency domain resource assignment’フィールドに含まれるＲＩＶを、ＲＩＶ０＿０とも呼
称する。
【０１２６】
基地局装置３におけるＲＩＶ０＿０の計算は、ＤＣＩフォーマット０＿０が送信されるサーチスペースのタイプ（ＣＳＳまたはＵＳＳ）に基づいて行われる。端末装置１におけるＲＩＶ０＿０の解釈は、ＤＣＩフォーマット０＿０が送信されるサーチスペースのタイプ（ＣＳＳまたはＵＳＳ）に基づいて行われる。
【０１２７】
ＲＩＶ０＿０は、リソースブロック割当情報を示してもよい。ＲＩＶ０＿０のリソースブロック割当情報は、スケジュールされる端末装置１に、アクティブ上りリンクＢＷＰ内の連続して割り当てられるＶＲＢ（contiguously allocated Virtual Resource Block）
のセットを示す。アクティブ上りリンクＢＷＰ内のＶＲＢは、該同じアクティブ上りリンクＢＷＰ内の物理リソースブロックにマップされる。
【０１２８】
ＲＩＶ０＿０は、ＲＢＵＬ_ｓｔａｒｔ、および、ＬＵＬ_ＲＢｓに少なくとも基づいて与えられてもよい。ＲＢＵＬ_ｓｔａｒｔは、連続して割り当てられるＶＲＢのセットの
スターティングリソースブロックである。ＬＵＬ_ＲＢｓは、連続して割り当てられるＶ
ＲＢのセットの長さ（リソースブロックの数）である。ここで、リソースブロックのインデクシングは、アクティブ上りリンクＢＷＰ内で決定される。すなわち、ＲＩＶ０＿０、ＲＢＵＬ_ｓｔａｒｔ、および、ＬＵＬ_ＲＢｓに関連するリソースブロックのインデクシング（ナンバリング）は、アクティブ上りリンクＢＷＰ内の最も低いリソースブロックから開始される。ここで、最も低いリソースブロックは、最も周波数の低いリソースブロックであってもよい。最も低いリソースブロックは、共通リソースブロックのインデックスが最も小さいリソースブロックであってもよい。
【０１２９】
図１０は、本実施形態におけるＲＩＶ０＿０を計算するための疑似コードを示す図である。ＵＳＳにおけるＤＣＩフォーマット０＿０のサイズが、初期上りリンクＢＷＰのサイズから導きだされ、且つ、該ＤＣＩフォーマット０＿０が、初期上りリンクＢＷＰとは異なるアクティブ上りリンクＢＷＰに適用される場合を除いて、ＲＩＶ０＿０は、図１０の疑似コードに基づいてＮＵＬ_ＢＷＰｓｉｚｅを用いて与えられてもよい。
【０１３０】
ＵＳＳにおけるＤＣＩフォーマット０＿０のサイズが、初期上りリンクＢＷＰのサイズから導きだされ、且つ、該ＤＣＩフォーマット０＿０が、初期上りリンクＢＷＰとは異なるアクティブ上りリンクＢＷＰに適用される場合を除いて、端末装置１は、ＲＩＶ０＿０
とＮＵＬ_ＢＷＰｓｉｚｅに基づいて、ＲＢＵＬ_ｓｔａｒｔとＬＵＬ_ＲＢｓを取得して
もよい。
【０１３１】
ＤＣＩフォーマット０＿０がＣＳＳにおいてデコードされる場合を除いて、ＮＵＬ_Ｂ
ＷＰｓｉｚｅはアクティブ上りリンクＢＷＰのサイズである。ＤＣＩフォーマット０＿０がＵＳＳにおいてデコードされる場合、ＮＵＬ_ＢＷＰｓｉｚｅはアクティブ上りリンク
ＢＷＰのサイズである。ＤＣＩフォーマット０＿０がＣＳＳにおいてデコードされる場合、ＮＵＬ_ＢＷＰｓｉｚｅは初期上りリンクＢＷＰのサイズである。
【０１３２】
図１１は、本実施形態におけるＲＩＶ０＿０を計算するための疑似コードを示す図である。ＵＳＳにおけるＤＣＩフォーマット０＿０のサイズが、初期上りリンクＢＷＰのサイズから導きだされ、且つ、該ＤＣＩフォーマット０＿０が、初期上りリンクＢＷＰとは異なるアクティブ上りリンクＢＷＰに適用される場合、ＲＩＶ０＿０は図１１の疑似コードに基づいてＮＵＬ_ＢＷＰｉｎｉｔｉａｌとＮＵＬ_ＢＷＰａｃｔｉｖｅを用いて与えられてもよい。
【０１３３】
ＵＳＳにおけるＤＣＩフォーマット０＿０のサイズが、初期上りリンクＢＷＰのサイズから導きだされ、且つ、該ＤＣＩフォーマット０＿０が、初期上りリンクＢＷＰとは異なるアクティブ上りリンクＢＷＰに適用される場合、端末装置１は、ＲＩＶ０＿０とＮＵＬ_ＢＷＰｉｎｉｔｉａｌとＮＵＬ_ＢＷＰａｃｔｉｖｅに基づいて、ＲＢＵＬ_ｓｔａｒｔ
とＬＵＬ_ＲＢｓを取得してもよい。
【０１３４】
ＮＵＬ_ＢＷＰｉｎｉｔｉａｌは初期上りリンクＢＷＰのサイズである。ＮＵＬ_ＢＷＰａｃｔｉｖｅはアクティブ上りリンクＢＷＰのサイズである。
【０１３５】
ＤＣＩフォーマット１＿０の‘Frequency domain resource assignment’フィールドは、ＲＩＶ（Resource Indication Value）を含む。ＤＣＩフォーマット１＿０の‘Frequency domain resource assignment’フィールドに含まれるＲＩＶを、ＲＩＶ１＿０とも呼
称する。
【０１３６】
基地局装置３におけるＲＩＶ１＿０の計算は、ＤＣＩフォーマット１＿０が送信されるサーチスペースのタイプ（ＣＳＳまたはＵＳＳ）に基づいて行われる。端末装置１におけるＲＩＶ１＿０の解釈は、ＤＣＩフォーマット１＿０が送信されるサーチスペースのタイプ（ＣＳＳまたはＵＳＳ）に基づいて行われる。
【０１３７】
ＲＩＶ１＿０は、リソースブロック割当情報を示してもよい。ＲＩＶ１＿０のリソースブロック割当情報は、スケジュールされる端末装置１に、アクティブ下りリンクＢＷＰ内の連続して割り当てられるＶＲＢ（contiguously allocated Virtual Resource Block）
のセットを示す。アクティブ下りリンクＢＷＰ内のＶＲＢは、該同じアクティブ下りリンクＢＷＰ内の物理リソースブロックにマップされる。
【０１３８】
ＲＩＶ１＿０は、ＲＢＤＬ_ｓｔａｒｔ、および、ＬＤＬ_ＲＢｓに少なくとも基づいて与えられてもよい。ＲＢＤＬ_ｓｔａｒｔは、連続して割り当てられるＶＲＢのセットの
スターティングリソースブロックである。ＬＤＬ_ＲＢｓは、連続して割り当てられるＶ
ＲＢのセットの長さ（リソースブロックの数）である。ここで、ＣＳＳにおけるＤＣＩフォーマット１＿０を用いてスケジュールされるＰＤＳＣＨに対して、何れの下りリンクＢＷＰがアクティブ下りリンクＢＷＰであるかにかかわらず、リソースブロックのインデクシング（ナンバリング）は、該ＤＣＩフォーマット１＿０が受信されたＣＯＲＥＳＥＴの最も低いリソースブロックからスタートしてもよい。ここで、最も低いリソースブロックは、最も周波数の低いリソースブロックであってもよい。最も低いリソースブロックは、
共通リソースブロックのインデックスが最も小さいリソースブロックであってもよい。ここで、ＣＳＳにおけるＤＣＩフォーマット１＿０以外のＤＣＩフォーマットを用いてスケジュールされるＰＤＳＣＨに対して、リソースブロックのインデクシングは、アクティブ下りリンクＢＷＰ内で決定されてもよい。すなわち、ＲＩＶ１＿０、ＲＢＤＬ_ｓｔａｒ
ｔ、および、ＬＤＬ_ＲＢｓに関連するリソースブロックのインデクシング（ナンバリン
グ）は、アクティブ下りリンクＢＷＰ内の最も低いリソースブロックから開始されてもよい。ＣＳＳにおけるＤＣＩフォーマット１＿０以外のＤＣＩフォーマットは、ＵＳＳにおけるＤＣＩフォーマット１＿０であってもよい。
【０１３９】
または、ＳＩ−ＲＮＴＩをともなうＤＣＩフォーマット１＿０を用いてスケジュールされるＰＤＳＣＨに対して、リソースブロックのインデクシング（ナンバリング）は、該ＤＣＩフォーマット１＿０が受信されたＣＯＲＥＳＥＴの最も低いリソースブロックからスタートしてもよく、Ｃ−ＲＮＴＩをともなうＤＣＩフォーマット１＿０を用いてスケジュールされるＰＤＳＣＨに対して、リソースブロックのインデクシングは、アクティブ下りリンクＢＷＰ内で決定されてもよい。ここで、ＳＩ−ＲＮＴＩをともなうＤＣＩフォーマット１＿０とＣ−ＲＮＴＩをともなうＤＣＩフォーマット１＿０はＣＳＳにおいて送信および／または受信されてもよい。
【０１４０】
図１２は、本実施形態におけるＲＩＶ１＿０を計算するための疑似コードを示す図である。ＵＳＳにおけるＤＣＩフォーマット１＿０のサイズが、所定の帯域Ｘのサイズから導きだされ、且つ、該ＤＣＩフォーマット１＿０が、所定の帯域Ｘとは異なるアクティブ下りリンクＢＷＰに適用される場合を除いて、ＲＩＶ１＿０は、図１２の疑似コードに基づいてＮＤＬ_ＢＷＰｓｉｚｅを用いて与えられてもよい。
【０１４１】
ＵＳＳにおけるＤＣＩフォーマット１＿０のサイズが、所定の帯域Ｘのサイズから導きだされ、且つ、該ＤＣＩフォーマット１＿０が、所定の帯域Ｘとは異なるアクティブ下りリンクＢＷＰに適用される場合を除いて、端末装置１は、ＲＩＶ１＿０とＮＤＬ_ＢＷＰ
ｓｉｚｅに基づいて、ＲＢＤＬ_ｓｔａｒｔとＬＤＬ_ＲＢｓを取得してもよい。
【０１４２】
ＤＣＩフォーマット１＿０がＣＳＳにおいてデコードされる場合を除いて、ＮＤＬ_Ｂ
ＷＰｓｉｚｅはアクティブ下りリンクＢＷＰのサイズである。ＤＣＩフォーマット１＿０がＵＳＳにおいてデコードされる場合、ＮＤＬ_ＢＷＰｓｉｚｅはアクティブ下りリンク
ＢＷＰのサイズである。ＤＣＩフォーマット１＿０がＣＳＳにおいてデコードされる場合、ＮＤＬ_ＢＷＰｓｉｚｅは所定の帯域Ｘのサイズである。
【０１４３】
図１３は、本実施形態におけるＲＩＶ１＿０を計算するための疑似コードを示す図である。ＵＳＳにおけるＤＣＩフォーマット１＿０のサイズが、所定の帯域Ｘのサイズから導きだされ、且つ、該ＤＣＩフォーマット１＿０が、所定の帯域Ｘとは異なるアクティブ下りリンクＢＷＰに適用される場合、ＲＩＶ１＿０は図１３の疑似コードに基づいてＮＤＬ_ＢＷＰｉｎｉｔｉａｌとＮＤＬ_ＢＷＰａｃｔｉｖｅを用いて与えられてもよい。
【０１４４】
ＵＳＳにおけるＤＣＩフォーマット１＿０のサイズが、所定の帯域Ｘのサイズから導きだされ、且つ、該ＤＣＩフォーマット１＿０が、所定の帯域Ｘとは異なるアクティブ下りリンクＢＷＰに適用される場合、端末装置１は、ＲＩＶ１＿０とＮＤＬ_ＢＷＰｉｎｉｔ
ｉａｌとＮＤＬ_ＢＷＰａｃｔｉｖｅに基づいて、ＲＢＵＬ_ｓｔａｒｔとＬＵＬ_ＲＢｓ
を取得してもよい。
【０１４５】
ＮＤＬ_ＢＷＰｉｎｉｔｉａｌは所定の帯域Ｘのサイズである。ＮＤＬ_ＢＷＰａｃｔｉｖｅはアクティブ下りリンクＢＷＰのサイズである。
【０１４６】
以下、ＰＤＣＣＨのスクランブリングについて説明をする。
【０１４７】
ＰＤＣＣＨのスクランブリングのための用いられるスクランブリング系列ｃＰＤＣＣＨ（ｉ）は、ｃＰＤＣＣＨ_ｉｎｉｔを用いて初期化されてもよい。ｃＰＤＣＣＨ_ｉｎｉｔはｎＲＮＴＩとｎＩＤに少なくとも基づいて与えられてもよい。ｃＰＤＣＣＨ_ｉｎｉｔ
は以下の数式（３）に基づいて与えられてもよい。
(数３)
cPDCCH_init= ( nRNTI・216 + nID) mod 231
上位層のパラメータPDCCH-DMRS-Scrambling-IDが設定されている場合、ＵＳＳにおけるＰＤＣＣＨに対して、ｎＩＤは上位層のパラメータPDCCH-DMRS-Scrambling-IDによって与えられてもよい。それ以外の場合（上位層のパラメータPDCCH-DMRS-Scrambling-IDが設定されていない場合、または、ＣＳＳに対して）、ｎＩＤは物理レイヤセルアイデンティティ（physical layer cell identity）によって与えられてもよい。
【０１４８】
上位層のパラメータPDCCH-DMRS-Scrambling-IDは、ＣＯＲＥＳＥＴに対して設定されてもよい。上位層のパラメータPDCCH-DMRS-Scrambling-IDは、サービンウセルに対して設定されてもよい。上位層のパラメータPDCCH-DMRS-Scrambling-IDは、端末装置１に対して設定されてもよい。
【０１４９】
上位層のパラメータPDCCH-DMRS-Scrambling-IDが設定されている場合、ＵＳＳにおけるＰＤＣＣＨに対して、ｎＲＮＴＩはＣ−ＲＮＴＩである。それ以外の場合（上位層のパラメータPDCCH-DMRS-Scrambling-IDが設定されていない場合、または、ＣＳＳに対して）、ｎＲＮＴＩは０である。本実施形態において、Ｃ−ＲＮＴＩは０とは異なる値である。従って、本実施形態において、上位層のパラメータPDCCH-DMRS-Scrambling-IDが設定されている場合、ＵＳＳにおけるＰＤＣＣＨに対するスクランブリング系列ｃＰＤＣＣＨ（ｉ）は、ＣＳＳにおけるＰＤＣＣＨに対するスクランブリング系列ｃＰＤＣＣＨ（ｉ）と異なる。本実施形態において、上位層のパラメータPDCCH-DMRS-Scrambling-IDが設定されていない場合、ＵＳＳにおけるＰＤＣＣＨに対するスクランブリング系列ｃＰＤＣＣＨ（ｉ）は、ＣＳＳにおけるＰＤＣＣＨに対するスクランブリング系列ｃＰＤＣＣＨ（ｉ）と同じである。
【０１５０】
以下、ＰＤＣＣＨのためのＤＭＲＳの参照信号系列について説明をする。
【０１５１】
ＰＤＣＣＨのためのＤＭＲＳの参照信号系列は、疑似ランダム系列ｃＤＭＲＳ（ｉ）によって与えられる。疑似ランダム系列ｃＤＭＲＳ（ｉ）は、ｃＤＭＲＳ_ｉｎｉｔを用い
て初期化されてもよい。ｃＤＭＲＳ_ｉｎｉｔは、ＮＩＤまたは上記のｎＩＤに少なくと
も基づいて与えられてもよい。
【０１５２】
上位層のパラメータPDCCH-DMRS-Scrambling-IDが設定されている場合、ＮＩＤは上位層のパラメータPDCCH-DMRS-Scrambling-IDによって与えられてもよい。それ以外の場合（上位層のパラメータPDCCH-DMRS-Scrambling-IDが設定されていない場合）、ＮＩＤは物理レイヤセルアイデンティティ（physical layer cell identity）によって与えられてもよい。すなわち、本実施形態において、上位層のパラメータPDCCH-DMRS-Scrambling-IDが設定されていない場合、ｃＤＭＲＳ_ｉｎｉｔがＮＩＤとｎＩＤの何れに基づいて与えられる
かにかかわらず、ＵＳＳにおけるＰＤＣＣＨに対するスクランブリング系列ｃＰＤＣＣＨ（ｉ）は、ＣＳＳにおけるＰＤＣＣＨに対するスクランブリング系列ｃＰＤＣＣＨ（ｉ）と同じである。
【０１５３】
上述したように端末装置１は、ＰＤＣＣＨがＣＳＳとＵＳＳの何れで受信したかに応じて処理を切り替えるが、条件Ｃを満たす場合に、端末装置１はＰＤＣＣＨがＣＳＳのＰＤ
ＣＣＨ候補とＵＳＳのＰＤＣＣＨ候補の何れで送信されたかを正しく判定できないという問題がある。
【０１５４】
条件Ｃは、以下の条件Ｃ１、Ｃ２、Ｃ３、Ｃ４の一部または全部を少なくとも含む。
【０１５５】
条件Ｃ１は、端末装置１が１つのＣＯＲＥＳＥＴにおける１つのＰＤＣＣＨモニタリングオケージョンにおいてＣ−ＲＮＴＩをともなうＤＣＩフォーマット０＿０／１＿０に応じてＣＳＳにおけるＰＤＣＣＨ候補とＵＳＳにおけるＰＤＣＣＨ候補をモニタするよう設定されていることであってもよい。条件Ｃ１は、端末装置１が１つのＣＯＲＥＳＥＴにおいてＣ−ＲＮＴＩをともなうＤＣＩフォーマット０＿０／１＿０に応じてＣＳＳにおけるＰＤＣＣＨ候補とＵＳＳにおけるＰＤＣＣＨ候補をモニタするよう設定されていることであってもよい。条件Ｃ１は、端末装置１がＣ−ＲＮＴＩをともなうＤＣＩフォーマット０＿０／１＿０に応じてＣＳＳにおけるＰＤＣＣＨ候補とＵＳＳにおけるＰＤＣＣＨ候補をモニタするよう設定されていることであってもよい。
【０１５６】
条件Ｃ２は、ＣＳＳにおけるＰＤＣＣＨ候補を構成するリソースエレメントのセットが、ＵＳＳにおけるＰＤＣＣＨ候補を構成するリソースエレメントのセットと同じであることであってもよい。条件Ｃ２において、リソースエレメントのセットは、ＲＥＧのセット、または、ＣＣＥのセットであってもよい。例えば、図７において、ＣＳＳ７００のＰＤＣＣＨ候補７０１を構成するリソースエレメント／ＲＥＧ／ＣＣＥのセットは、ＵＳＳ７１０のＰＤＣＣＨ候補７１２を構成するリソースエレメント／ＲＥＧ／ＣＣＥのセットと同じである。
【０１５７】
条件Ｃ３は、端末装置１に対して上位層のパラメータPDCCH-DMRS-Scrambling-IDが設定されていないことであってもよい。条件Ｃ３は、ＣＯＲＥＳＥＴに対して上位層のパラメータPDCCH-DMRS-Scrambling-IDが設定されていないことであってもよい。条件Ｃ３は、ＣＳＳのＰＤＣＣＨ候補に対応するＤＭＲＳが、ＵＳＳのＰＤＣＣＨ候補が対応するＤＭＲＳと同じであり、且つ、ＣＳＳのＰＤＣＣＨ候補に対応するＰＤＣＣＨスクランブリング系列が、ＵＳＳのＰＤＣＣＨ候補に対応するＰＤＣＣＨスクランブリング系列と同じであることであってもよい。条件Ｃ５は、ＣＳＳのＰＤＣＣＨ候補に対応するＰＤＣＣＨスクランブリング系列が、ＵＳＳのＰＤＣＣＨ候補に対応するＰＤＣＣＨスクランブリング系列と同じであることであってもよい。
【０１５８】
条件Ｃ４は、ＣＳＳにおけるＰＤＣＣＨ候補に対応するＤＣＩフォーマット０＿０／１＿０のサイズが、ＵＳＳにおけるＰＤＣＣＨ候補に対応するＤＣＩフォーマット０＿０／１＿０のサイズと同じであることであってもよい。条件Ｃ４において、ＣＳＳにおけるＰＤＣＣＨ候補に対応するＤＣＩフォーマット０＿０のフィールドのセットは、ＵＳＳにおけるＰＤＣＣＨ候補に対応するＤＣＩフォーマット０＿０のフィールドのセットと同じでもよいし、異なってもよい。条件Ｃ４において、ＣＳＳにおけるＰＤＣＣＨ候補に対応するＤＣＩフォーマット１＿０のフィールドのセットは、ＵＳＳにおけるＰＤＣＣＨ候補に対応するＤＣＩフォーマット１＿０のフィールドのセットと同じでもよいし、異なってもよい。
【０１５９】
条件Ｃ２、条件Ｃ３、および条件Ｃ４において、ＣＳＳにおけるＰＤＣＣＨ候補とＵＳＳにおけるＰＤＣＣＨ候補は同じ１つのＣＯＲＥＳＥＴに対応していてもよい。ＤＣＩフォーマット０＿０／１＿０は、（１）ＤＣＩフォーマット０＿０、（２）ＤＣＩフォーマット１＿０、または、（３）ＤＣＩフォーマット０＿０およびＤＣＩフォーマット１＿０を意味してもよい。
【０１６０】
そこで、条件Ｃを満たす場合に、端末装置１は、条件ＣのＣＳＳのＰＤＣＣＨ候補とＵ
ＳＳのＰＤＣＣＨ候補に対して、以下の処理Ｄ１からＤ４の何れかを行ってもよい。すなわち、端末装置１は、条件Ｃを満たすかどうかに基づいて、以下の処理Ｄ１からＤ８の何れかを行うか否かを判定してもよい。
【０１６１】
（処理Ｄ１）ＣＳＳのＰＤＣＣＨ候補とＵＳＳのＰＤＣＣＨ候補のうち、ＣＳＳのＰＤＣＣＨ候補のみにおいてＤＣＩフォーマット０＿０／１＿０をともなうＰＤＣＣＨが送信されるとみなす。ここで、端末装置１は、ＵＳＳのＰＤＣＣＨ候補においてＤＣＩフォーマット０＿０／１＿０をともなうＰＤＣＣＨをモニタしなくてもよい。
【０１６２】
（処理Ｄ２）ＣＳＳのＰＤＣＣＨ候補とＵＳＳのＰＤＣＣＨ候補のうち、ＵＳＳのＰＤＣＣＨ候補のみにおいてＤＣＩフォーマット０＿０／１＿０をともなうＰＤＣＣＨが送信されるとみなす。ここで、端末装置１は、ＣＳＳのＰＤＣＣＨ候補においてＤＣＩフォーマット０＿０／１＿０をともなうＰＤＣＣＨをモニタしなくてもよい。
【０１６３】
（処理Ｄ３）ＣＳＳのＰＤＣＣＨ候補においてＤＣＩフォーマット０＿０／１＿０をともなうＰＤＣＣＨを検出したときに、ＣＳＳのＰＤＣＣＨ候補ではなくＵＳＳのＰＤＣＣＨ候補においてＤＣＩフォーマット０＿０／１＿０をともなうＰＤＣＣＨが送信または受信されたとみなす。
【０１６４】
（処理Ｄ４）ＵＳＳのＰＤＣＣＨ候補においてＤＣＩフォーマット０＿０／１＿０をともなうＰＤＣＣＨを検出したときに、ＵＳＳのＰＤＣＣＨ候補ではなくＣＳＳのＰＤＣＣＨ候補においてＤＣＩフォーマット０＿０／１＿０をともなうＰＤＣＣＨが送信または受信されたとみなす。
【０１６５】
条件Ｃを満たさない場合、端末装置１は、ＣＳＳのＰＤＣＣＨ候補とＵＳＳのＰＤＣＣＨ候補のうち、何れのＰＤＣＣＨ候補においてＤＣＩフォーマット０＿０／１＿０をともなうＰＤＣＣＨが送信される可能性があるとみなす。条件Ｃを満たさない場合、端末装置１は、ＣＳＳのＰＤＣＣＨ候補とＵＳＳのＰＤＣＣＨ候補の両方をモニタしてもよい。
【０１６６】
そこで、条件Ｃを満たす場合に、基地局装置３は、条件ＣのＣＳＳのＰＤＣＣＨ候補とＵＳＳのＰＤＣＣＨ候補に対して、以下の処理Ｅ１からＥ４の何れかを行ってもよい。すなわち、基地局装置３は、条件Ｃを満たすかどうかに基づいて、以下の処理Ｅ１からＥ８の何れかを行うか否かを判定してもよい。
【０１６７】
（処理Ｅ１）ＣＳＳのＰＤＣＣＨ候補とＵＳＳのＰＤＣＣＨ候補のうち、ＣＳＳのＰＤＣＣＨ候補のみにおいてＤＣＩフォーマット０＿０／１＿０をともなうＰＤＣＣＨを送信する。
【０１６８】
（処理Ｅ２）ＣＳＳのＰＤＣＣＨ候補とＵＳＳのＰＤＣＣＨ候補のうち、ＵＳＳのＰＤＣＣＨ候補のみにおいてＤＣＩフォーマット０＿０／１＿０をともなうＰＤＣＣＨを送信する。
【０１６９】
（処理Ｅ３）ＣＳＳのＰＤＣＣＨ候補においてＤＣＩフォーマット０＿０／１＿０をともなうＰＤＣＣＨを送信するときに、ＣＳＳのＰＤＣＣＨ候補ではなくＵＳＳのＰＤＣＣＨ候補においてＤＣＩフォーマット０＿０／１＿０をともなうＰＤＣＣＨを送信するとみなす。
【０１７０】
（処理Ｅ４）ＵＳＳのＰＤＣＣＨ候補においてＤＣＩフォーマット０＿０／１＿０をともなうＰＤＣＣＨを送信するときに、ＵＳＳのＰＤＣＣＨ候補ではなくＣＳＳのＰＤＣＣＨ候補においてＤＣＩフォーマット０＿０／１＿０をともなうＰＤＣＣＨを送信するとみ
なす。
【０１７１】
条件Ｃを満たさない場合、基地局装置３は、ＣＳＳのＰＤＣＣＨ候補とＵＳＳのＰＤＣＣＨ候補の何れかにおいてＤＣＩフォーマット０＿０／１＿０をともなうＰＤＣＣＨを送信してもよい。
【０１７２】
これにより、条件Ｃを満たす場合に、端末装置１は、条件ＣのＣＳＳのＰＤＣＣＨ候補とＵＳＳのＰＤＣＣＨ候補の何れでＰＤＣＣＨが送信されたかを正しく判定することができる。
【０１７３】
ＳＩ−ＲＮＴＩ（System Information-Radio Network Temporary Identifier）はＳＩ
（System Information）を報知するために用いられる。すなわち、ＳＩ−ＲＮＴＩはＳＩＢ（System Information Block）をスケジューリングするために用いられる。端末装置１は、ＳＩＢ１をスケジューリングするために用いられるＳＩ−ＲＮＴＩをともなうＤＣＩフォーマット１＿０をタイプ０ＣＳＳにおいてモニタしてもよい。端末装置１は、ＳＩＢ１以外のＳＩＢをスケジューリングするために用いられるＳＩ−ＲＮＴＩをともなうＤＣＩフォーマット１＿０をタイプ０ａＣＳＳにおいてモニタしてもよい。
【０１７４】
ＲＡ−ＲＮＴＩ（Random Access-Radio Network Temporary Identifier）は、ランダムアクセス応答のために用いられる。端末装置１は、ＲＡ−ＲＮＴＩをともなうＤＣＩフォーマット１＿０をタイプ１ＣＳＳにおいてモニタしてもよい。
【０１７５】
第１のタイプのＣＳＳは、タイプ０ＣＳＳ、タイプ０ａＣＳＳ、および／または、タイプ１ＣＳＳを少なくとも含んでもよい。第２のタイプのＣＳＳは、タイプ０ＣＳＳ、タイプ０ａＣＳＳ、および／または、タイプ１ＣＳＳを少なくとも含んでもよい。タイプ０ＣＳＳ、タイプ０ａＣＳＳ、および、タイプ１ＣＳＳのそれぞれは、第１のタイプのＣＳＳと第２のタイプのＣＳＳの何れか一方に属する。例えば、第１のタイプのＣＳＳはタイプ０ＣＳＳを含んでもよく、且つ、第２のタイプのＣＳＳはタイプ０ａＣＳＳとタイプ１ＣＳＳを含んでもよい。
【０１７６】
第１のタイプのＣＳＳのＰＤＣＣＨ候補に対応するＤＣＩフォーマット１＿０に対して、所定の帯域Ｘは上記の所定のＣＯＲＥＳＥＴであってもよい。すなわち、第１のタイプのＣＳＳのＰＤＣＣＨ候補に対応するＤＣＩフォーマット１＿０の‘Frequency domain resource assignment’フィールドのビット数は、上記の所定のＣＯＲＥＳＥＴから導き出されてもよい。ここで、第１のタイプのＣＳＳのＰＤＣＣＨ候補に対応するＤＣＩフォーマット１＿０の‘Frequency domain resource assignment’フィールドにセットされるＲＩＶの計算のために、ＮＤＬ_ＢＷＰｓｉｚｅは上記の所定のＣＯＲＥＳＥＴにセットさ
れてもよい。すなわち、第１のタイプのＣＳＳのＰＤＣＣＨ候補に対応するＤＣＩフォーマット１＿０の‘Frequency domain resource assignment’フィールドにセットされるＲＩＶは、上記の所定のＣＯＲＥＳＥＴから導き出されてもよい。
【０１７７】
第２のタイプのＣＳＳのＰＤＣＣＨ候補に対応するＤＣＩフォーマット１＿０に対して、所定の帯域Ｘは初期下りリンクＢＷＰであってもよい。すなわち、第２のタイプのＣＳＳのＰＤＣＣＨ候補に対応するＤＣＩフォーマット１＿０の‘Frequency domain resource assignment’フィールドのビット数は、初期下りリンクＢＷＰから導き出されてもよい。。ここで、第２のタイプのＣＳＳのＰＤＣＣＨ候補に対応するＤＣＩフォーマット１＿０の‘Frequency domain resource assignment’フィールドにセットされるＲＩＶの計算のために、ＮＤＬ_ＢＷＰｓｉｚｅは初期下りリンクＢＷＰにセットされてもよい。すな
わち、第２のタイプのＣＳＳのＰＤＣＣＨ候補に対応するＤＣＩフォーマット１＿０の‘Frequency domain resource assignment’フィールドにセットされるＲＩＶは、初期下り
リンクＢＷＰから導き出されてもよい。
【０１７８】
上述したように端末装置１は、ＰＤＣＣＨが何れのタイプのＣＳＳで受信されたかに応じて処理を切り替えるが、条件Ｆを満たす場合に、端末装置１はＰＤＣＣＨが何れのタイプのＰＤＣＣＨ候補で送信されたかを正しく判定できないという問題がある。
【０１７９】
条件Ｆは、以下の条件Ｆ１、Ｆ２、Ｆ３、Ｆ４の一部または全部を少なくとも含む。
【０１８０】
条件Ｆ１は、端末装置１が１つのＣＯＲＥＳＥＴにおける１つのＰＤＣＣＨモニタリングオケージョンにおいてＣ−ＲＮＴＩをともなうＤＣＩフォーマット１＿０に応じて第１のタイプのＣＳＳにおけるＰＤＣＣＨ候補と第２のタイプのＣＳＳにおけるＰＤＣＣＨ候補をモニタするよう設定されていることであってもよい。条件Ｆ１は、端末装置１が１つのＣＯＲＥＳＥＴにおいてＣ−ＲＮＴＩをともなうＤＣＩフォーマット１＿０に応じて第１のタイプのＣＳＳにおけるＰＤＣＣＨ候補と第２のタイプにおけるＰＤＣＣＨ候補をモニタするよう設定されていることであってもよい。条件Ｆ１は、端末装置１がＣ−ＲＮＴＩをともなうＤＣＩフォーマット１＿０に応じて第１のタイプのＣＳＳにおけるＰＤＣＣＨ候補と第２のタイプにおけるＰＤＣＣＨ候補をモニタするよう設定されていることであってもよい。条件Ｆ１におけるＣ−ＲＮＴＩは、Ｃ−ＲＮＴＩ以外のＲＮＴＩ（例えば、ＳＩ−ＲＮＴＩまたはＲＡ−ＲＮＴＩ）であってもよい。
【０１８１】
条件Ｆ２は、第１のタイプのＣＳＳにおけるＰＤＣＣＨ候補を構成するリソースエレメントのセットが、第２のタイプにおけるＰＤＣＣＨ候補を構成するリソースエレメントのセットと同じであることであってもよい。条件Ｆ２において、リソースエレメントのセットは、ＲＥＧのセット、または、ＣＣＥのセットであってもよい。
【０１８２】
条件Ｆ３は、第１のタイプのＣＳＳにおけるＰＤＣＣＨ候補に対応するＤＣＩフォーマット１＿０のサイズが、第２のタイプにおけるＰＤＣＣＨ候補に対応するＤＣＩフォーマット１＿０のサイズと同じであることであってもよい。条件Ｆ３において、第１のタイプのＣＳＳにおけるＰＤＣＣＨ候補に対応するＤＣＩフォーマット１＿０のフィールドのセットは、第２のタイプのＣＳＳにおけるＰＤＣＣＨ候補に対応するＤＣＩフォーマット１＿０のフィールドのセットと同じでもよいし、異なってもよい。
【０１８３】
条件Ｆ２、および、条件Ｆ３において、第１のタイプのＣＳＳにおけるＰＤＣＣＨ候補と第２のタイプのＣＳＳにおけるＰＤＣＣＨ候補は同じ１つのＣＯＲＥＳＥＴに対応していてもよい。
【０１８４】
条件Ｆにおいて、上位層のパラメータPDCCH-DMRS-Scrambling-IDが設定されているかどうかは関係ない。すなわち、条件Ｆにおいて、ＣＯＲＥＳＥＴに対して上位層のパラメータPDCCH-DMRS-Scrambling-IDが設定されているかどうかは関係ない。すなわち、端末装置１は、条件Ｆを満たすかどうかを判定する際に、上位層のパラメータPDCCH-DMRS-Scrambling-IDが設定されているかどうかを判定しなくてもよい。
【０１８５】
そこで、条件Ｆを満たす場合に、端末装置１は、条件Ｆの第１のタイプのＣＳＳのＰＤＣＣＨ候補と第２のタイプのＣＳＳのＰＤＣＣＨ候補に対して、以下の処理Ｇ１からＧ４の何れかを行ってもよい。すなわち、端末装置１は、条件Ｆを満たすかどうかに基づいて、以下の処理Ｇ１からＧ８の何れかを行うか否かを判定してもよい。
【０１８６】
（処理Ｇ１）第１のタイプのＣＳＳのＰＤＣＣＨ候補と第２のタイプのＰＤＣＣＨ候補のうち、第１のタイプのＣＳＳのＰＤＣＣＨ候補のみにおいてＤＣＩフォーマット１＿０をともなうＰＤＣＣＨが送信されるとみなす。ここで、端末装置１は、第２のＣＳＳのＰ
ＤＣＣＨ候補においてＤＣＩフォーマット１＿０をともなうＰＤＣＣＨをモニタしなくてもよい。
【０１８７】
（処理Ｇ２）第１のタイプのＣＳＳのＰＤＣＣＨ候補と第２のタイプＣＳＳのＰＤＣＣＨ候補のうち、第２のタイプのＰＤＣＣＨ候補のみにおいてＤＣＩフォーマット１＿０をともなうＰＤＣＣＨが送信されるとみなす。ここで、端末装置１は、第１のタイプのＣＳＳのＰＤＣＣＨ候補においてＤＣＩフォーマット１＿０をともなうＰＤＣＣＨをモニタしなくてもよい。
【０１８８】
（処理Ｇ３）第１のタイプのＣＳＳのＰＤＣＣＨ候補においてＤＣＩフォーマット１＿０をともなうＰＤＣＣＨを検出したときに、第１のタイプのＣＳＳのＰＤＣＣＨ候補ではなく第２のタイプのＰＤＣＣＨ候補においてＤＣＩフォーマット１＿０をともなうＰＤＣＣＨが送信または受信されたとみなす。
【０１８９】
（処理Ｇ４）第２のタイプのＣＳＳのＰＤＣＣＨ候補においてＤＣＩフォーマット１＿０をともなうＰＤＣＣＨを検出したときに、第２のタイプのＣＳＳのＰＤＣＣＨ候補ではなく第１のタイプのＣＳＳのＰＤＣＣＨ候補においてＤＣＩフォーマット１＿０をともなうＰＤＣＣＨが送信または受信されたとみなす。
【０１９０】
条件Ｆを満たさない場合、端末装置１は、第１のタイプのＣＳＳのＰＤＣＣＨ候補と第２のタイプのＣＳＳのＰＤＣＣＨ候補のうち、何れのＰＤＣＣＨ候補においてもＤＣＩフォーマット１＿０をともなうＰＤＣＣＨが送信される可能性があるとみなす。条件Ｆを満たさない場合、端末装置１は、第１のタイプのＣＳＳのＰＤＣＣＨ候補と第２のタイプのＣＳＳのＰＤＣＣＨ候補の両方をモニタしてもよい。
【０１９１】
そこで、条件Ｆを満たす場合に、基地局装置３は、条件Ｆの第１のタイプのＣＳＳのＰＤＣＣＨ候補と第２のタイプのＣＳＳのＰＤＣＣＨ候補に対して、以下の処理Ｈ１からＨ４の何れかを行ってもよい。すなわち、基地局装置３は、条件Ｆを満たすかどうかに基づいて、以下の処理Ｈ１からＨ８の何れかを行うか否かを判定してもよい。
【０１９２】
（処理Ｈ１）第１のタイプのＣＳＳのＰＤＣＣＨ候補と第２のタイプのＰＤＣＣＨ候補のうち、第１のタイプのＣＳＳのＰＤＣＣＨ候補のみにおいてＤＣＩフォーマット１＿０をともなうＰＤＣＣＨを送信する。
【０１９３】
（処理Ｈ２）第１のタイプのＣＳＳのＰＤＣＣＨ候補と第２のタイプＣＳＳのＰＤＣＣＨ候補のうち、第２のタイプのＰＤＣＣＨ候補のみにおいてＤＣＩフォーマット１＿０をともなうＰＤＣＣＨを送信する。
【０１９４】
（処理Ｈ３）第１のタイプのＣＳＳのＰＤＣＣＨ候補においてＤＣＩフォーマット１＿０をともなうＰＤＣＣＨを送信するときに、第１のタイプのＣＳＳのＰＤＣＣＨ候補ではなく第２のタイプのＰＤＣＣＨ候補においてＤＣＩフォーマット１＿０をともなうＰＤＣＣＨを送信するとみなす。
【０１９５】
（処理Ｈ４）第２のタイプのＣＳＳのＰＤＣＣＨ候補においてＤＣＩフォーマット１＿０をともなうＰＤＣＣＨを送信するときに、第２のタイプのＣＳＳのＰＤＣＣＨ候補ではなく第１のタイプのＣＳＳのＰＤＣＣＨ候補においてＤＣＩフォーマット１＿０をともなうＰＤＣＣＨを送信するとみなす。
【０１９６】
条件Ｆを満たさない場合、基地局装置３は、第１のタイプのＣＳＳのＰＤＣＣＨ候補と第２のタイプのＣＳＳのＰＤＣＣＨ候補の何れかにおいてＤＣＩフォーマット１＿０をと
もなうＰＤＣＣＨを送信してもよい。
【０１９７】
これにより、条件Ｆを満たす場合に、端末装置１は、条件Ｆの第１のタイプのＣＳＳのＰＤＣＣＨ候補と第２のタイプのＣＳＳのＰＤＣＣＨ候補の何れでＰＤＣＣＨが送信されたかを正しく判定することができる。
【０１９８】
条件ＣのＣＳＳは、第１のタイプのＣＳＳ、および／または、第２のタイプのＣＳＳであってもよい。条件Ｃと条件Ｆの両方が満たされる場合、端末装置１は、処理Ｄ１または処理Ｄ３を行った後に、処理Ｇ１から処理Ｇ４の何れかを行ってもよい。
【０１９９】
以下、本実施形態における、端末装置１および基地局装置３の種々の態様について説明する。
【０２００】
（１）本実施形態の第１の態様は、端末装置１であって、少なくとも１つのプロセッサと前記少なくとも１つのプロセッサと連結されるメモリを備え、前記プロセッサは、ＤＣＩフォーマットをともなうＰＤＣＣＨを受信し、前記ＤＣＩフォーマットの‘Frequency domain resource assignment’フィールドにセットされるＲＩＶに対応するＰＤＳＣＨを受信し、前記ＲＩＶは、前記ＰＤＣＣＨを検出したサーチスペースのタイプに少なくとも基づいて与えられ、前記プロセッサは、（１）端末装置がＣ−ＲＮＴＩをともなう前記ＤＣＩフォーマットに応じてＣＳＳにおける第１のＰＤＣＣＨ候補とＵＳＳにおける第２のＰＤＣＣＨ候補をモニタするよう設定されており、（２）前記第１のＰＤＣＣＨ候補を構成するリソースエレメントのセットが、前記第２のＰＤＣＣＨ候補を構成するリソースエレメントのセットと同じであり、（３）上位層のパラメータPDCCH-DMRS-Scrambling-IDが設定されておらず、（４）前記第１のＰＤＣＣＨ候補に対応する前記ＤＣＩフォーマットのサイズが、前記第２のＰＤＣＣＨ候補に対応する前記ＤＣＩフォーマットのサイズと同じである場合に、前記第１のＰＤＣＣＨ候補と前記第２のＰＤＣＣＨ候補のうち、前記第１のＰＤＣＣＨ候補のみにおいて前記ＤＣＩフォーマットをともなう前記ＰＤＣＣＨが送信されるとみなす、または、前記第１のＰＤＣＣＨ候補と前記第２のＰＤＣＣＨ候補のうち、前記第２のＰＤＣＣＨ候補のみにおいて前記ＤＣＩフォーマットをともなう前記ＰＤＣＣＨが送信されるとみなす、または、前記第１のＰＤＣＣＨ候補において前記ＤＣＩフォーマットをともなう前記ＰＤＣＣＨを受信したときに、前記第２のＰＤＣＣＨ候補において前記ＤＣＩフォーマットをともなう前記ＰＤＣＣＨが送信または受信されたとみなす、または、前記第２のＰＤＣＣＨ候補において前記ＤＣＩフォーマットをともなう前記ＰＤＣＣＨを受信したときに、前記第１のＰＤＣＣＨ候補において前記ＤＣＩフォーマットをともなう前記ＰＤＣＣＨが送信または受信されたとみなす。
【０２０１】
（２）本実施形態の第２の態様は、基地局装置３であって、少なくとも１つのプロセッサと前記少なくとも１つのプロセッサと連結されるメモリを備え、前記プロセッサは、ＤＣＩフォーマットをともなうＰＤＣＣＨを送信し、前記ＤＣＩフォーマットの‘Frequency domain resource assignment’フィールドにセットされるＲＩＶに対応するＰＤＳＣＨを送信し、前記ＲＩＶは、前記ＰＤＣＣＨを検出したサーチスペースのタイプに少なくとも基づいて与えられ、前記プロセッサは、（１）端末装置がＣ−ＲＮＴＩをともなう前記ＤＣＩフォーマットに応じてＣＳＳにおける第１のＰＤＣＣＨ候補とＵＳＳにおける第２のＰＤＣＣＨ候補をモニタするよう設定されており、（２）前記第１のＰＤＣＣＨ候補を構成するリソースエレメントのセットが、前記第２のＰＤＣＣＨ候補を構成するリソースエレメントのセットと同じであり、（３）上位層のパラメータPDCCH-DMRS-Scrambling-IDが設定されておらず、（４）前記第１のＰＤＣＣＨ候補に対応する前記ＤＣＩフォーマットのサイズが、前記第２のＰＤＣＣＨ候補に対応する前記ＤＣＩフォーマットのサイズと同じである場合に、前記第１のＰＤＣＣＨ候補と前記第２のＰＤＣＣＨ候補のうち、前記第１のＰＤＣＣＨ候補のみにおいて前記ＤＣＩフォーマットをともなう前記ＰＤＣＣＨを
送信する、または、前記第１のＰＤＣＣＨ候補と前記第２のＰＤＣＣＨ候補のうち、前記第２のＰＤＣＣＨ候補のみにおいて前記ＤＣＩフォーマットをともなう前記ＰＤＣＣＨを送信する、または、前記第１のＰＤＣＣＨ候補において前記ＤＣＩフォーマットをともなう前記ＰＤＣＣＨを送信するときに、前記第２のＰＤＣＣＨ候補において前記ＤＣＩフォーマットをともなう前記ＰＤＣＣＨを送信するとみなす、または、前記第２のＰＤＣＣＨ候補において前記ＤＣＩフォーマットをともなう前記ＰＤＣＣＨを送信するときに、前記第１のＰＤＣＣＨ候補において前記ＤＣＩフォーマットをともなう前記ＰＤＣＣＨを送信するとみなす。
【０２０２】
（３）本実施形態の第１および第２の態様において、前記第１のＰＤＣＣＨ候補が対応するＣＯＲＥＳＥＴは、前記第２のＰＤＣＣＨ候補が対応するＣＯＲＥＳＥＴと同じである。
【０２０３】
（４）本実施形態の第１および第２の態様において、前記第１のＰＤＣＣＨ候補に対応する前記ＤＣＩフォーマットのフィールドのセットは、前記第２のＰＤＣＣＨ候補に対応する前記ＤＣＩフォーマットのフィールドのセットと同じである。
【０２０４】
（５）本実施形態の第１および第２の態様において、前記ＤＣＩフォーマットは、ＤＣＩフォーマット０＿０、および／または、ＤＣＩフォーマット１＿０である。
【０２０５】
（６）本実施形態の第１および第２の態様において、前記ＰＤＣＣＨのスクランブリングのための用いられるスクランブリング系列ｃＰＤＣＣＨ（ｉ）は、ｃＰＤＣＣＨ_ｉｎ
ｉｔを用いて初期化され、前記ｃＰＤＣＣＨ_ｉｎｉｔはｎＲＮＴＩに少なくとも基づい
て与えられ、前記上位層のパラメータPDCCH-DMRS-Scrambling-IDが設定されている場合、前記ＵＳＳにおけるＰＤＣＣＨに対して、前記ｎＲＮＴＩはＣ−ＲＮＴＩであり、それ以外の場合、前記ｎＲＮＴＩは０であり、前記Ｃ−ＲＮＴＩは０とは異なる値である。
【０２０６】
これにより、端末装置１と基地局装置３は効率的に通信をすることができる。
【０２０７】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０２０８】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２０９】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２１０】
さらに「コンピュータ読み取り可能な記録媒体」とは、インターネット等のネットワークや電話回線等の通信回線を介してプログラムを送信する場合の通信線のように、短時間
、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２１１】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２１２】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２１３】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２１４】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２１５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２１６】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2020031353.tif 000005
【図２】
2020031353.tif 000006
【図３】
2020031353.tif 000007
【図４】
2020031353.tif 000008
【図５】
2020031353.tif 000009
【図６】
2020031353.tif 000010
【図７】
2020031353.tif 000011
【図８】
2020031353.tif 000012
【図９】
2020031353.tif 000013
【図１０】
2020031353.tif 000014
【図１１】
2020031353.tif 000015
【図１２】
2020031353.tif 000016
【図１３】
2020031353.tif 000017